(57)【要約】無線通信ネットワークへのユーザ装置（ＵＥ）のランダムアクセスのためのダウンリンク（ＤＬ）、第１のアップリンク（ＵＬ１）、および第２のアップリンク（ＵＬ２）のそれぞれについて帯域幅パート（ＢＷＰ）を取得するためにユーザ装置（ＵＥ）によって実行される方法が提供される。物理ランダムアクセスチャネル（ＰＲＡＣＨ）機会を伴うすべてのＵＬ１ ＢＷＰについて、ＰＲＡＣＨ機会を伴い、同じ帯域幅パート識別（ｂｗｐ ｉｄ）を有する、対応するＵＬ２ ＢＷＰが存在すると仮定される場合、ＵＥは、ＰＲＡＣＨ機会を伴い、第１のｂｗｐ ｉｄを有するＵＬ１ ＢＷＰと、これと同じを第１のｂｗｐ ｉｄを有するＤＬ ＢＷＰと取得し（２０１）、ＵＬ１ ＢＷＰおよびＤＬ ＢＷＰが取得された後で、ＵＥは、ＰＲＡＣＨ機会を伴い、同じ第１のｂｗｐ ｉｄを有するＵＬ２ ＢＷＰを取得する（２０２）。そうでない場合、ＵＥは、以下のいずれか１つを実行する：−  ＰＲＡＣＨ機会を伴い、共通の第１のｂｗｐ ｉｄを有するＵＬ１ ＢＷＰおよびＵＬ２ ＢＷＰが存在する場合、ＵＥは、これらＵＬ１ ＢＷＰおよびＵＬ２ ＢＷＰを選択し（２０３）、これと同じ第１のｂｗｐ ｉｄを有するＤＬ ＢＷＰを選択し（２０４）、−  ＰＲＡＣＨ機会を伴い、共通の第１のｂｗｐ ｉｄを有するＵＬ１ ＢＷＰおよびＵＬ２ ＢＷＰが存在しない場合、ＵＥは、ＵＬ１、ＵＬ２およびＤＬのそれぞれについて初期ＢＷＰを選択し（２０５）、それによって、ＵＬ１ ＢＷＰ、ＵＬ２ ＢＷＰおよびＤＬ ＢＷＰは、同じ第１のｂｗｐ ｉｄを含むようになる。
2022501913.tif 000002
【特許請求の範囲】
【請求項１】
無線通信ネットワーク（１００）へのユーザ装置（ＵＥ）（１２０）のランダムアクセスのために、それぞれのダウンリンク（ＤＬ）、第１のアップリンク（ＵＬ１）、および、第２のアップリンク（ＵＬ２）のための帯域幅パート（ＢＷＰ）を取得するために、ユーザ装置（ＵＥ）（１２０）によって実行される方法であって、前記方法は、
物理ランダムアクセスチャネル（ＰＲＡＣＨ）機会を伴うすべてのＵＬ１ ＢＷＰについて、同じ帯域幅パート識別情報（ｂｗｐ ｉｄ）を有し、ＰＲＡＣＨ機会を伴う、対応するＵＬ２ ＢＷＰが存在することが仮定される場合、第１のｂｗｐ ｉｄを有し、ＰＲＡＣＨ機会を伴うＵＬ１ ＢＷＰと、同じ前記第１のｂｗｐ ｉｄを有するＤＬ ＢＷＰを取得すること（２０１）と、前記ＵＬ１ ＢＷＰと前記ＤＬ ＢＷＰが取得された後で、前記同じ第１のｂｗｐ ｉｄを有し、ＰＲＡＣＨ機会を伴うＵＬ２ ＢＷＰを取得（２０２）することと、
そうでない場合、
共通の第１のｂｗｐ ｉｄを有し、ＰＲＡＣＨ機会を伴う、ＵＬ１ ＢＷＰとＵＬ２ ＢＷＰとが存在する場合、これらのＵＬ１ ＢＷＰおよびＵＬ２ ＢＷＰを選択すること（２０３）と、同じ前記第１のｂｗｐ ｉｄを有するＤＬ ＢＷＰを選択すること（２０４）と、
共通の第１のｂｗｐ ｉｄを有し、ＰＲＡＣＨ機会を伴うＵＬ１ ＢＷＰとＵＬ２ ＢＷＰと存在しない場合、ＵＬ１、ＵＬ２およびＤＬのそれぞれに対して初期ＢＷＰを選択すること（２０５）と、
のうちのいずれか１つを実行すること、を有し、それによって、ＵＬ１ ＢＷＰ、ＵＬ２ ＢＷＰおよびＤＬ ＢＷＰは、前記同じ第１のｂｗｐ ｉｄを有する、方法。
【請求項２】
請求項１に記載の方法であって、
ＵＬ１はノーマルアップリンク（ＮＵＬ）と表されるものであり、ＵＬ２は補助アップリンク（ＳＵＬ）と表されるものであること、
ＵＬ２はＮＵＬと表されるものであり、ＵＬ１はＳＵＬと表されるものであること、
のうちのいずれか一つである、方法。
【請求項３】
請求項１から２のいずれかに記載の方法であって、
いずれかの取得すること（２０１、２０２）は、そのまま留めることか、または、切り替えること、のうちのいずれか１つによって表されるものである、方法。
【請求項４】
請求項１から２のいずれかに記載の方法であって、
ＵＬ１ ＢＷＰを取得してＰＲＡＣＨ機会を伴うＵＬ１ ＢＷＰを取得すること（２０１）は、アクティブなＢＷＰ上にそのまま留めること、または、初期ＢＷＰに切り替えること、のうちのいずれか１つを含む、方法。
【請求項５】
請求項２から４のいずれかに記載の方法であって、
（ａ）、（ｂ）、または（ａ）および（ｂ）のいずれでもないことのうちのいずれか１つが仮定されるかどうかを判定すること（２００）であって、
（ａ）はＰＲＡＣＨ機会を伴うすべてのＮＵＬ ＢＷＰについて、ＳＵＬ上に、物理ランダムアクセスチャネル（ＰＲＡＣＨ）機会を伴い、同じ帯域幅パート識別情報（ｂｗｐ ｉｄ）を有する、対応するＢＷＰが存在することが仮定されることであり、
（ｂ）はＰＲＡＣＨ機会を伴うすべてのＳＵＬ ＢＷＰについて、ＮＵＬ上に、ＰＲＡＣＨ機会を伴い、同じ帯域幅パート識別情報（ｂｗｐ ｉｄ）を有する、対応するＢＷＰが存在することが仮定されることである、ことと、
（ａ）が仮定される場合に、第１のルールにしたがってランダムアクセスのためのＮＵＬ、ＳＵＬ、およびＤＬのいずれかについてＢＭＰの切り替え方式を実行することと、
（ｂ）が仮定される場合に、第２のルールにしたがってランダムアクセスのためのＮＵＬ、ＳＵＬ、およびＤＬのいずれかについてＢＭＰの切り替えを実行することと、
（ａ）および（ｂ）のいずれも仮定されない場合、第３のルールにしたがってランダムアクセスのためのＮＵＬ、ＳＵＬ、およびＤＬのいずれかについてＢＭＰの切り替えを実行することと、を有する方法。
【請求項６】
請求項５に記載の方法であって、前記第１のルールは、
アクティブなＮＵＬ ＢＷＰにおいて、ＰＲＡＣＨが存在しない場合に、取得すること（２０１）は、アクティブなＮＵＬおよびダウンリンク（ＤＬ）をそれぞれの初期ＢＷＰに切り替えることを含み、前記ＮＵＬ ＢＷＰおよびＤＬ ＢＷＰが切り替えられた後で、取得すること（２０２）は、ＳＵＬを初期ＢＷＰに切り替えることを含み、ここで、前記ＳＵＬ、前記ＮＵＬ、および前記ＤＬはすべて同じｂｗｐ ｉｄを有し、
アクティブなＮＵＬ ＢＷＰにおいてＰＲＡＣＨが存在する場合、取得すること（２０１）は、前記ＤＬを前記アクティブなＮＵＬ ＢＷＰと同じｂｗｐ ｉｄを有するＢＷＰに切り替えることを含み、前記ＤＬ ＢＷＰが切り替えられた後で、取得すること（２０２）は、前記ＳＵＬを前記アクティブなＮＵＬ ＢＷＰと同じｂｗｐ ｉｄを有するＢＷＰに切り替えることを含み、ここで、前記ＳＵＬ、前記ＮＵＬ、および前記ＤＬはすべて同じｂｗｐ ｉｄを有する、方法。
【請求項７】
請求項１に記載の方法であって、前記第２のルールは、
アクティブＳＵＬ ＢＷＰにＰＲＡＣＨが存在しない場合、取得すること（２０１）は、前記アクティブＳＵＬおよびＤＬをそれぞれの初期ＢＷＰに切り替えることを含み、前記ＳＵＬ ＢＷＰおよび前記ＤＬ ＢＷＰが切り替えられた後で、取得すること（２０２）は、前記ＮＵＬを初期ＢＷＰに切り替えることを含み、ここで、前記ＳＵＬ、前記ＮＵＬおよび前記ＤＬはすべて同じｂｗｐ ｉｄを有し、
前記アクティブＳＵＬ ＢＷＰにＰＲＡＣＨが存在する場合、取得すること（２０１）は、前記ＤＬを前記アクティブＳＵＬ ＢＷＰと同じｂｗｐ ｉｄを有するＢＷＰに切り替えることを含み、前記ＤＬ ＢＷＰが切り替えられた後で、取得すること（２０２）は、前記ＮＵＬを前記アクティブＳＵＬ ＢＷＰと同じｂｗｐ ｉｄを有するＢＷＰに切り替えること（２０９ｂ）を含み、ここで、前記ＳＵＬ、前記ＮＵＬおよび前記ＤＬはすべて同じｂｗｐ ｉｄを有する、方法。
【請求項８】
プロセッサ（８５０）によって実行されると、前記プロセッサ（８５０）に請求項１から７のいずれかに記載のアクションを実行させる命令を有する、コンピュータプログラム（８７０）。
【請求項９】
請求項８に記載のコンピュータプログラム（８７０）を有するキャリア（８８０）であって、電気信号、光信号、電磁信号、磁気信号、電気的信号、無線信号、マイクロ波信号、またはコンピュータ可読記憶媒体のうちの１つである、キャリア（８８０）。
【請求項１０】
ユーザ装置（ＵＥ）（１２０）を構成するためのネットワークノード（１１０）によって実行され、無線通信ネットワーク（１００）へのユーザ装置（ＵＥ）（１２０）のランダムアクセスのためのダウンリンク（ＤＬ）、第１のアップリンク（ＵＬ１）、および第２のアップリンク（ＵＬ２）のそれぞれについて帯域幅パート（ＢＷＰ）を取得するための方法であって、前記方法は、前記ＵＥ（１２０）を構成すること（３０１）であって、
物理ランダムアクセスチャネル（ＰＲＡＣＨ）機会を伴うすべてのＵＬ１ ＢＷＰについて、同じ帯域幅パート識別情報（ｂｗｐ ｉｄ）を有し、ＰＲＡＣＨ機会を伴う、対応するＵＬ２ ＢＷＰが存在することが仮定される場合に、第１のｂｗｐ ｉｄを有し、ＰＲＡＣＨ機会を伴う、ＵＬ１ ＢＷＰと、同じ前記第１のｂｗｐ ｉｄを有するＤＬ ＢＷＰを取得すること（２０１）と、前記ＵＬ１ ＢＷＰおよびＤＬ ＢＷＰが取得された後で、前記同じ第１のｂｗｐ ｉｄを有し、ＰＲＡＣＨ機会を伴う、ＵＬ２ ＢＷＰを取得すること（２０２）と、
そうでない場合に、
共通の第１のｂｗｐ ｉｄを有し、ＰＲＡＣＨ機会を伴う、ＵＬ１ ＢＷＰとＵＬ２ ＢＷＰとが存在する場合に、これらＵＬ１ ＢＷＰおよびＵＬ２ ＢＷＰを選択すること（２０３）と、前記同じ第１のｂｗｐ ｉｄを含むＤＬ ＢＷＰを選択すること（２０４）と、
前記共通の第１のｂｗｐ ｉｄを有するとともに、ＰＲＡＣＨ機会を伴う、ＵＬ１ ＢＷＰとＵＬ２ ＢＷＰとが存在しない場合に、前記ＵＬ１、前記ＵＬ２および前記ＤＬのそれぞれについて初期ＢＷＰを選択すること（２０５）と、のうちのいずれか１つを実行するように構成することを有し、それによって、ＵＬ１ ＢＷＰ、ＵＬ２ ＢＷＰおよびＤＬ ＢＷＰは、前記同じ第１のｂｗｐ ｉｄを有する、方法。
【請求項１１】
請求項１０に記載の方法であって、
ＵＬ１がノーマルアップリンク（ＮＵＬ）と表されること、ＵＬ２が補助アップリンク（ＳＵＬ）と表されること、
ＵＬ２が（ＮＵＬ）と表されること、ＵＬ１がＳＵＬと表されること、
のうちのいずれか１つである、方法。
【請求項１２】
請求項１０から１１のいずれかに記載の方法であって、
いずれかの取得すること（２０１、２０２）は、そのままに留めることか、または、切り替えること、のうちのいずれかによって表される、方法。
【請求項１３】
請求項１０から１２のいずれかに記載の方法であって、
ＵＬ１ ＢＷＰのために取得することであって、ＰＲＡＣＨ機会を伴う前記ＵＬ１ ＢＷＰを取得すること（２０１）は、アクティブなＢＷＰにそのまま留めること、または、初期ＢＷＰに切り替えること、のうちのいずれか１つを含む、方法。
【請求項１４】
請求項１０から１３のいずれかに記載の方法であって、
（ａ）、（ｂ）、または、（ａ）および（ｂ）のいずれでもないこと、のうちのいずれか１つが仮定および／または構成されるべきかどうかを判定すること（３００）であって、
（ａ）はＰＲＡＣＨ機会を伴うすべてのＮＵＬ ＢＷＰについて、ＳＵＬ上に、物理ランダムアクセスチャネル（ＰＲＡＣＨ）機会を伴い、同じ帯域幅パート識別情報（ｂｗｐ ｉｄ）を有する、対応するＢＷＰが存在することが仮定されることであり、
（ｂ）はＰＲＡＣＨ機会を伴うすべてのＳＵＬ ＢＷＰについて、ＮＵＬ上に、ＰＲＡＣＨ機会を伴ない、同じ帯域幅パート識別情報（ｂｗｐ ｉｄ）を有する対応するＢＷＰが存在すると仮定することである、ことと、
（ａ）が仮定される場合に、第１のルールにしたがってランダムアクセスのための前記ＮＵＬ、前記ＳＵＬ、および前記ＤＬのいずれかについてＢＭＰの切り替え方式を実行することと、
（ｂ）が仮定される場合に、第２のルールにしたがってランダムアクセスのための前記ＮＵＬ、前記ＳＵＬ、および前記ＤＬのいずれかについてＢＭＰの切り替えを実行することと、
（ａ）および（ｂ）のいずれも仮定されない場合に、第３のルールにしたがってランダムアクセスのための前記ＮＵＬ、前記ＳＵＬ、および前記ＤＬのいずれかについてＢＭＰの切り替えを実行することと、を有する、方法。
【請求項１５】
請求項１４に記載の方法であって、前記第１のルールは、
アクティブなＮＵＬ ＢＷＰにＰＲＡＣＨが存在しない場合、取得すること（２０１）は、前記アクティブなＮＵＬおよびダウンリンク（ＤＬ）をそれぞれの初期ＢＷＰに切り替えることを含み、前記ＮＵＬ ＢＷＰおよびＤＬ ＢＷＰが切り替えられた後で、取得すること（２０２）は、ＳＵＬを初期ＢＷＰに切り替えることを含み、ここで、前記ＳＵＬ、前記ＮＵＬおよび前記ＤＬはすべて同じｂｗｐ ｉｄを有し、
アクティブなＮＵＬ ＢＷＰにＰＲＡＣＨが存在する場合、取得すること（２０１）は、前記ＤＬを前記アクティブなＮＵＬ ＢＷＰと同じｂｗｐ ｉｄを有するＢＷＰに切り替えることを含み、前記ＤＬ ＢＷＰが切り替えられた後で、取得すること（２０１）は、前記ＳＵＬを前記アクティブなＮＵＬ ＢＷＰと同じｂｗｐ ｉｄを有するＢＷＰに切り替えることを含み、前記ＳＵＬ、前記ＮＵＬおよび前記ＤＬはすべて同じｂｗｐ ｉｄを有する、方法。
【請求項１６】
請求項１４に記載の方法であって、前記第２のルールは、
アクティブＳＵＬ ＢＷＰにＰＲＡＣＨが存在しない場合、取得すること（２０１）は、前記アクティブＳＵＬとＤＬをそれぞれの初期ＢＷＰに切り替えることを含み、前記ＳＵＬ ＢＷＰと前記ＤＬ ＢＷＰとが切り替えられた後で、取得すること（２０２）は、前記ＮＵＬを初期ＢＷＰに切り替えることを含み、ここで、前記ＳＵＬ、前記ＮＵＬおよび前記ＤＬはすべて同じｂｗｐ ｉｄを有し、
アクティブＳＵＬ ＢＷＰにＰＲＡＣＨが存在する場合、取得すること（２０１）は、前記ＤＬを前記アクティブＳＵＬ ＢＷＰと同じｂｗｐ ｉｄを有するＢＷＰに切り替えることを含み、前記ＤＬ ＢＷＰが切り替えられた後で、取得すること（２０２）は、前記ＮＵＬを前記アクティブＳＵＬ ＢＷＰと同じｂｗｐ ｉｄを有するＢＷＰに切り替えること（２０９ｂ）を含み、ここで、前記ＳＵＬ、前記ＮＵＬおよび前記ＤＬはすべて同じｂｗｐ ｉｄを有する、方法。
【請求項１７】
プロセッサ（９５０）によって実行されると、前記プロセッサ（９５０）に請求項１０から１６のいずれかに記載のアクションを実行させる命令を含む、コンピュータプログラム（９７０）。
【請求項１８】
請求項１７に記載のコンピュータプログラム（９７０）を有するキャリア（９８０）であって、電気信号、光信号、電磁信号、磁気信号、電気的信号、無線信号、マイクロ波信号、またはコンピュータ可読記憶媒体のうちの１つである、キャリア（９８０）。
【請求項１９】
ユーザ装置（ＵＥ）（１２０）の無線通信ネットワーク（１００）へのランダムアクセスのために、ダウンリンク（ＤＬ）、第１のアップリンク（ＵＬ１）、および第２のアップリンク（ＵＬ２）のそれぞれのための帯域幅パート（ＢＷＰ）を取得するように構成されたユーザ装置（ＵＥ）（１２０）であって、前記ＵＥ（１２０）は、
物理ランダムアクセスチャネル（ＰＲＡＣＨ）機会を有するすべてのＵＬ１ ＢＷＰについて、同じ帯域幅パート識別情報（ｂｗｐ ｉｄ）を有し、ＰＲＡＣＨ機会を伴う、対応するＵＬ２ ＢＷＰが存在すると仮定される場合に、第１のｂｗｐ ｉｄを有するように適合され、ＰＲＡＣＨ機会を伴う、ＵＬ１ ＢＷＰと、同じ前記第１のｂｗｐ ｉｄを有するＤＬ ＢＷＰとを取得することと、前記ＵＬ１ ＢＷＰとＤＬ ＢＷＰを取得した後で、前記同じ第１のｂｗｐ ｉｄを有するように適合され、ＰＲＡＣＨ機会を伴う、ＵＬ２ ＢＷＰを取得することと、
そうでない場合に、
共通の第１のｂｗｐ ｉｄを有し、ＰＲＡＣＨ機会を伴う、ＵＬ１ ＢＷＰとＵＬ２ ＢＷＰとが存在する場合、これらＵＬ１ ＢＷＰおよびＵＬ２ ＢＷＰを選択することと、同じ前記第１のｂｗｐ ｉｄを有するＤＬ ＢＷＰを選択することと、
共通の第１のｂｗｐ ｉｄを有するとともに、ＰＲＡＣＨの機会を伴うＵＬ１ ＢＷＰおよびＵＬ２ ＢＷＰが存在しない場合に、前記ＵＬ１、前記ＵＬ２および前記ＤＬのそれぞれについて初期ＢＷＰを選択することと、のうちのいずれか１つを含むように構成されており、それによって、ＵＬ１ ＢＷＰ、ＵＬ２ ＢＷＰおよびＤＬ ＢＷＰは、同じ第１のｂｗｐ ｉｄを含むように適合される、ＵＥ。
【請求項２０】
請求項１９に記載のＵＥであって、
−  ＵＬ１はノーマルアップリンク（ＮＵＬ）を表すように適合され、ＵＬ２は補助アップリンク（ＳＵＬ）によって表されるように適合されること、
−  ＵＬ２はＮＵＬを表すように適合され、ＵＬ１はＳＵＬを表すように適合されること、
のうちのいずれか１つである、ＵＥ。
【請求項２１】
請求項１９から２０のいずれか一項に記載のＵＥであって、
いずれかの取得が、そのままに留めることと、または、切り替えることと、のうちのいずれか１つによって表されるように適合される、ＵＥ。
【請求項２２】
請求項１９から２０のいずれかに記載のＵＥであって、前記ＵＥ（１２０）は、さらに、
ＰＲＡＣＨ機会を伴う前記ＵＬ１ ＢＷＰを取得することは、アクティブなＢＷＰ上にそのまま留めるか、または、初期ＢＷＰに切り替えること、のうちのいずれか１つを含むように適合される、ＵＥ。
【請求項２３】
請求項２０から２２のいずれかに記載のＵＥであって、前記ＵＥ（１２０）は、さらに、
（ａ）、（ｂ）、（ａ）および（ｂ）のいずれでもないことのうちのいずれか１つが仮定されるように適合されるかどうかを決定し、
（ａ）はＰＲＡＣＨ機会を伴うすべてのＮＵＬ ＢＷＰについて、ＳＵＬ上に、ＰＲＡＣＨ機会を伴い、同じｂｗｐ ｉｄを有する対応するＢＷＰが存在することが仮定されることであり、
（ｂ）はＰＲＡＣＨ機会を伴うすべてのＳＵＬ ＢＷＰについて、ＮＵＬ上に、ＰＲＡＣＨ機会を伴い、同じ帯域幅パート識別情報（ｂｗｐ ｉｄ）を有する、対応するＢＷＰが存在することが仮定されることであり、
（ａ）が仮定される場合、第１のルールにしたがって、ランダムアクセスのための前記ＮＵＬ、ＳＵＬ、およびＤＬのいずれかについてＢＭＰの切り替え方式を実行し、
（ｂ）が仮定される場合、第２のルールにしたがって、ランダムアクセスのための前記ＮＵＬ、ＳＵＬ、およびＤＬのいずれかについてＢＭＰのスイッチングを実行し、
（ａ）および（ｂ）のいずれでないことが仮定される場合、第３のルールにしたがって、ランダムアクセスのための前記ＮＵＬ、ＳＵＬ、およびＤＬのいずれかについてＢＭＰの切り替えを実行する、ように構成されている、ＵＥ。
【請求項２４】
請求項２３に記載のＵＥであって、前記第１のルールは、
前記ＵＥ（１２０）は、さらに、アクティブなＮＵＬ ＢＷＰ内にＰＲＡＣＨが存在しない場合に、取得することが、前記アクティブなＮＵＬおよびダウンリンク（ＤＬ）をそれぞれの初期ＢＷＰに切り替えることを含むように適合され、前記ＮＵＬ ＢＷＰおよびＤＬ ＢＷＰが切り替えられた後に、取得することは、前記ＳＵＬを初期ＢＷＰに切り替えることを含むように適合され、ここで、前記ＳＵＬ、前記ＮＵＬ、および前記ＤＬはすべて同じｂｗｐ ｉｄを有し、
アクティブなＮＵＬ ＢＷＰ内にＰＲＡＣＨが存在する場合に、取得することは、前記ＤＬを前記アクティブなＮＵＬ ＢＷＰと同じｂｗｐ ｉｄを有するＢＷＰに切り替えることを含むように適合され、前記ＤＬ ＢＷＰが切り替えられた後に、取得することは、前記アクティブなＮＵＬ ＢＷＰと同じｂｗｐ ｉｄを有するＢＷＰに前記ＳＵＬを切り替えることを含むように適合され、ここで、前記ＳＵＬ，前記ＮＵＬ、および前記ＤＬはすべて同一のｂｗｐ ｉｄを有する、ように構成されること、を含むように構成されている、ＵＥ。
【請求項２５】
請求項１９に記載のＵＥであって、前記第２のルールは、
前記ＵＥ（１２０）は、さらに、アクティブなＳＵＬ ＢＷＰにＰＲＡＣＨがない場合に、取得することは、前記アクティブなＳＵＬおよびＤＬをそれぞれの初期ＢＷＰに切り替えることを含むように適合され、前記ＳＵＬ ＢＷＰおよびＤＬ ＢＷＰが切り替えられた後に、取得することは、前記ＮＵＬを初期ＢＷＰに切り替えることを含むように適合され、ここで、前記ＳＵＬ、前記ＮＵＬおよび前記ＤＬはすべて同じｂｗｐ ｉｄを有し、
アクティブなＳＵＬ ＢＷＰにＰＲＡＣＨがある場合に、取得することは、前記アクティブなＳＵＬ ＢＷＰと同じｂｗｐ ｉｄを有するＢＷＰに前記ＤＬを切り替えることを含むように適合され、前記ＤＬ ＢＷＰが切り替えられた後に、取得することは、前記アクティブなＳＵＬ ＢＷＰと同じｂｗｐ ｉｄを有するＢＷＰに前記ＮＵＬを切り替えることを含むように適合され、前記ＳＵＬ、前記ＮＵＬおよび前記ＤＬはすべて同じｂｗｐ ｉｄを有する、ように構成されること、を含むように構成されている、ＵＥ。
【請求項２６】
る無線通信ネットワーク（１００）へのユーザ装置（ＵＥ）（１２０）のランダムアクセスのために、ダウンリンク（ＤＬ）、第１のアップリンク（ＵＬ１）、および第２のアップリンク（ＵＬ２）のそれぞれについて帯域幅パート（ＢＷＰ）を取得するために、ユーザ装置（ＵＥ）（１２０）を構成するための、ネットワークノード（１１０）であって、前記ネットワークノード（１１０）は、当該ネットワークノード（１１０）の中の構成ユニット（９１０）によって、前記ＵＥ（１２０）を、
物理ランダムアクセスチャネル（ＰＲＡＣＨ）機会を伴うすべてのＵＬ１ ＢＷＰについて、ＰＲＡＣＨ機会を伴い、同じ帯域幅パート識別情報（ｂｗｐ ｉｄ）を有する、対応するＵＬ２ ＢＷＰが存在する場合に、ＰＲＡＣＨ機会を伴い、第１のｂｗｐ ｉｄを有するように適合されたＵＬ１ ＢＷＰと、同じ前記第１のｂｗｐ ｉｄを有するＤＬ ＢＷＰとを取得することと、前記ＵＬ１ ＢＷＰおよびＤＬ ＢＷＰが取得された後で、ＰＲＡＣＨ機会を伴い、前記同じ第１のｂｗｐ ｉｄを有するＵＬ２ ＢＷＰを取得することと、
そうでない場合であって、
ＰＲＡＣＨ機会を伴い、共通の第１のｂｗｐ ｉｄを有する、ＵＬ１ ＢＷＰおよびＵＬ２ ＢＷＰが存在する場合に、これらＵＬ１ ＢＷＰおよびＵＬ２ ＢＷＰを選択することと、同じ前記第１のｂｗｐ ｉｄを含むように適合されたＤＬ ＢＷＰを選択することと、
ＰＲＡＣＨの機会を伴い、共通の第１のｂｗｐ ｉｄを有するＵＬ１ ＢＷＰおよびＵＬ２ ＢＷＰが存在しない場合に、前記ＵＬ１、ＵＬ２およびＤＬのそれぞれについて初期ＢＷＰを選択することと、のうちのいずれか１つを実行することと、のうちのいずれか１つ以上について、構成し、それによって、ＵＬ１ ＢＷＰ、ＵＬ２ ＢＷＰおよびＤＬ ＢＷＰは、前記同じ第１のｂｗｐ ｉｄを含むように適合される、ネットワークノード。
【請求項２７】
請求項２６に記載のネットワークノード（１１０）であって、
ＵＬ１がノーマルアップリンク（ＮＵＬ）を表すように適合され、ＵＬ２が補助アップリンク（ＳＵＬ）を表すように適合されていることと、
ＵＬ２がＮＵＬを表すように適合され、ＵＬ１がＳＵＬを表すように適合されていることと、
のうちのいずれか１つである、ネットワークノード。
【請求項２８】
請求項２６から２７のいずれかに記載のネットワークノード（１１０）であって、
いずれかの前記取得することは、そのままに留めること、または、切り替えること、のうちのいずれか１つを表すように適合される、ネットワークノード。
【請求項２９】
請求項２６から２８のいずれかに記載のネットワークノード（１１０）であって、
ＰＲＡＣＨ機会を伴うＵＬ１ ＢＷＰを取得することは、アクティブなＢＷＰ上に留めることと、または、初期ＢＷＰに切り替えること、のうちのいずれか１つを含むように適合される、ネットワークノード。
【請求項３０】
請求項２６から２９のいずれかに記載のネットワークノード（１１０）であって、前記ネットワークノード（１１０）は、さらに、たとえば前記ネットワークノード１１０内の構成ユニット（９１０）によって、前記ＵＥ（１２０）を、
（ａ）、（ｂ）、（ａ）および（ｂ）のいずれでもないこと、のうちのいずれか１つが仮定および／または構成されるように適合されているかどうかを判定し、
（ａ）はＰＲＡＣＨ機会を伴うすべてのＮＵＬ ＢＷＰについて、ＳＵＬ上に、物理ランダムアクセスチャネル（ＰＲＡＣＨ）機会を伴い、同じ帯域幅パート識別情報（ｂｗｐ ｉｄ）を有する、対応するＢＷＰが存在することがと仮定されることであり、
（ｂ）はＰＲＡＣＨ機会を伴うすべてのＳＵＬ ＢＷＰについて、ＮＵＬ上に、ＰＲＡＣＨ機会を伴い、同じ帯域幅パート識別情報（ｂｗｐ ｉｄ）を有する、対応するＢＷＰが存在することが仮定されることであり、
（ａ）が仮定される場合、第１のルールにしたがってランダムアクセスのための前記ＮＵＬ、ＳＵＬ、およびＤＬのいずれかについてＢＭＰの切り替え方式を実行し、
（ｂ）が仮定される場合、第２のルールにしたがってランダムアクセスのための前記ＮＵＬ、ＳＵＬ、およびＤＬのいずれかについてＢＭＰの切り替えを実行し、
（ａ）および（ｂ）のいずれでもないこと仮定される場合、第３のルールにしたがってランダムアクセスのための前記ＮＵＬ、ＳＵＬ、およびＤＬのいずれかについてＢＭＰの切り替えを実行するよう、に構成するように、適合されている、ネットワークノード。
【請求項３１】
請求項３０に記載の方法であって、前記第１のルールは、
アクティブなＮＵＬ ＢＷＰにおいてＰＲＡＣＨが存在しない場合、取得することは、前記アクティブなＮＵＬおよびダウンリンク（ＤＬ）をそれぞれの初期ＢＷＰに切り替えることを含むように適合されており、前記ＮＵＬ ＢＷＰおよび前記ＤＬ ＢＷＰが切り替えられた後で、取得することは、前記ＳＵＬを初期ＢＷＰに切り替えることを含むように適合されており、ここで、前記ＳＵＬ、前記ＮＵＬ、および前記ＤＬはすべて同じｂｗｐ ｉｄを有し、
アクティブなＮＵＬ ＢＷＰにおいてＰＲＡＣＨが存在する場合、取得することは、前記ＤＬを、前記アクティブなＮＵＬ ＢＷＰと同じｂｗｐ ｉｄを有するＢＷＰへ切り替えることを含むように適合されており、取得することは、前記ＤＬ ＢＷＰが切り替えられた後で、取得することは、前記アクティブなＮＵＬ ＢＷＰと同じｂｗｐ ｉｄを有するＢＷＰへ前記ＳＵＬを切り替えることを含むように適合されること、を含むように適合されており、ここで、前記ＳＵＬ、前記ＮＵＬ、および前記ＤＬは、すべて同じｂｗｐ ｉｄを有する、方法。
【請求項３２】
請求項３０に記載の方法であって、前記第２のルールは、
アクティブなＳＵＬ ＢＷＰにＰＲＡＣＨが存在しない場合、取得することは、前記アクティブなＳＵＬおよびＤＬをそれぞれの初期ＢＷＰに切り替えることを含むように適合され、前記ＳＵＬ ＢＷＰおよびＤＬ ＢＷＰが切り替えられた後で、取得することは、前記ＮＵＬを初期ＢＷＰに切り替えることを含むように適合され、ここで、前記ＳＵＬ、前記ＮＵＬおよび前記ＤＬはすべて同じｂｗｐ ｉｄを有し、
アクティブなＳＵＬ ＢＷＰにＰＲＡＣＨが存在する場合、取得することは、前記ＤＬをアクティブなＳＵＬ ＢＷＰと同じｂｗｐ ｉｄを有するＢＷＰに切り替えることを含むように適合され、前記ＤＬ ＢＷＰが切り替えられた後で、取得することは、前記ＮＵＬを前記アクティブなＳＵＬ ＢＷＰと同じｂｗｐ ｉｄを有するＢＷＰに切り替えることを含むように適合される、ことを含むように、適合されており、ここで、前記ＳＵＬ、前記ＮＵＬおよび前記ＤＬはすべて同じｂｗｐ ｉｄを有する、方法。
【発明の詳細な説明】
【技術分野】
【０００１】
本実施形態は、ユーザ装置（ＵＥ）、そのネットワークノード、および方法に関する。いくつかの態様では、それらは、たとえば、無線通信ネットワークへＵＥがランダムアクセスするための、ダウンリンク（ＤＬ）、第１のアップリンク（ＵＬ１）、および第２のアップリンク（ＵＬ２）のそれぞれについて帯域幅パート（ＢＷＰ）を取得することに関する。
【背景技術】
【０００２】
典型的な無線通信ネットワークでは、無線通信装置、移動局、ステーション（ＳＴＡ）および／またはユーザ装置（ＵＥ）とも呼ばれる無線デバイスは、Ｗｉ−Ｆｉネットワークまたは無線アクセスネットワーク（ＲＡＮ）などのローカルエリアネットワークを介して１つまたは複数のコアネットワーク（ＣＮ）と通信する。ＲＡＮは、サービスエリアまたはセルエリアに分割される地理的領域を含み、それらは、ビームまたはビームグループとも呼ばれ、たとえば、Ｗｉ−Ｆｉアクセスポイントまたは無線基地局（ＲＢＳ）など、いくつかのネットワークにおいては、たとえば、ＮｏｄｅＢ、ｅＮｏｄｅＢ （ｅＮＢ）、または、５Ｇで示されるｇＮＢなどのような、無線アクセスノードなどの無線ネットワークノードによってサービスを提供されるサービスエリアまたはセルエリアである。サービスエリアまたはセルエリアは、無線ネットワークノードによって無線カバレッジを提供される地理的領域である。無線ネットワークノードは、無線周波数で動作するエアインターフェースを介して、無線ネットワークノードの範囲内の無線デバイスと通信する。
【０００３】
第４世代（４Ｇ）ネットワークとも呼ばれる進化型パケットシステム（ＥＰＳ）の仕様は、第３世代パートナーシッププロジェクト（３ＧＰＰ）内で完了しており、この作業は、たとえば、第５世代（５Ｇ）ニューレディオ（ＮＲ）とも呼ばれる５Ｇネットワークを規定するために、来るべき３ＧＰＰリリースに向けて継続する。ＥＰＳは、ロングタームエボリューション（ＬＴＥ）無線アクセスネットワークとも呼ばれる進化したユニバーサル地上無線アクセスネットワーク（Ｅ−ＵＴＲＡＮ）と、システムアーキテクチャエボリューション（ＳＡＥ）コアネットワークとも呼ばれる進化したパケットコア（ＥＰＣ）とで構成される。Ｅ−ＵＴＲＡＮ／ＬＴＥは、無線ネットワークノードが、３Ｇネットワークで使用されるＲＮＣではなく、ＥＰＣコアネットワークに直接的に接続される、３ＧＰＰ無線アクセスネットワークの変形である。概して、Ｅ−ＵＴＲＡＮ／ＬＴＥでは、３Ｇ ＲＮＣの機能は、無線ネットワークノード、たとえば、ＬＴＥにおけるｅＮｏｄｅＢと、コアネットワークとの間で分散される。したがって、ＥＰＳのＲＡＮは、１つまたは複数のコアネットワークに直接的に接続された、すなわち、ＲＮＣに接続されていない無線ネットワークノードを備える、本質的に「フラット」なアーキテクチャを有する。これを補うために、Ｅ−ＵＴＲＡＮ 規格では無線ネットワークノード間の直接インターフェースが定義されており、このインターフェースはＸ２ インターフェースと表記される。
【０００４】
マルチアンテナ技術は、無線通信システムのデータ速度および信頼性を大幅に向上させることができる。送信機と受信機の両方が複数のアンテナを備えている場合、多入力多出力（ＭＩＭＯ）通信チャネルが可能となり、特に性能が改善される。このようなシステムおよび／または関連技術は、一般にＭＩＭＯと呼ばれる。
【０００５】
発展途上にある５Ｇ規格のニューレディオ（ＮＲ）は、１ＧＨｚ以下から１００ＧＨｚまでの広い範囲の周波数での動作を目指しているかもしれない。このような周波数範囲では、ＮＲにおけるランダムアクセス手順を改善して、高周波キャリアにおける潜在的な伝搬損失を緩和することができる。
【０００６】
ＮＲについては、帯域幅パート（ＢＷＰ）の使用に関する３ｇｐｐ標準化において進行中の議論がある。ＢＷＰを使用する理由は、いくつかのＵＥがＢＷ全体を使用することができない可能性があり、その場合、ＵＥは、処理することができるより小さいＢＷＰを割り当てられることである。もう１つの理由は、バッテリーを節約するためであろう。ＵＥは、受信および送信のために必要とされるエネルギーを低減するために、より狭いＢＷＰを割り当てられてもよい。さらに別の理由は、ＵＥがビットレート要件を満たすためにＢＷ全体を必要としない場合のロードバランシングであり得る。
【０００７】
各ＵＥは、すべてのＵＥに対して同じであり、すべてのＵＥが処理するのに十分な狭さである少なくとも初期ＢＷＰと、デフォルトＢＷＰとを割り当てられてもよいことが合意されている。デフォルトＢＷＰは、初期ＢＷＰと同じあってもよし、異なってもよい。すなわち、異なるＵＥは、典型的には、異なるデフォルトＢＷＰをもつだろう。初期および既定のＢＷＰに加えて、ＵＥに追加のＢＷＰが設定されている場合がある。ＵＥは、４つまでのダウンリンク（ＤＬ）／アップリンク（ＵＬ）ＢＷＰを有することができることが合意されている。重要な合意はまた、任意の時点において、１つのＢＷＰのみが特定のＵＥのためにアクティブであってもよいことである。
【０００８】
ＮＲでは、補助的アップリンク（ＳＵＬ）が構成されてもよい。ＳＵＬは、通常、ノーマルアップリンク（ＮＵＬ）よりも低い周波数で動作し、より狭い帯域幅を有する。また、ＳＵＬは、ＮＵＬと同様にＢＷＰを構成（設定）されてもよい。現在の規格では、ＮＵＬ ＢＷＰおよびＳＵＬ ＢＷＰの構成は独立しており、すなわち、ＢＷＰの数およびそれらの構成は、ＮＵＬおよびＳＵＬのためのものと異なっていてもよい。
【０００９】
ＵＥは、（初期を除いて）無線リソース制御（ＲＲＣ）シグナリングを使用してＢＷＰを構成されてもよく、ＢＷＰ間の切り替えは、ＵＥにＢＷＰを切り替えるように指示する物理ダウンリンク制御チャネル（ＰＤＣＣＨ）上のダウンリンク制御情報（ＤＣＩ）によって行われてもよい。また、ｂｗｐ−ＩｎａｃｔｉｖｉｔｙＴｉｍｅｒ（ｂｗｐインアクティブタイマ）が期限切れになったときや、ランダムアクセスが開始されたときに、デフォルトのＢＷＰに切り替える可能性がある。
【００１０】
ＢＷＰは、物理ランダムアクセスチャネル（ＰＲＡＣＨ）機会を使用して構成されることもでき、これにより、ＵＥはＢＷＰ上でランダムアクセス手順を開始することを許可される。ここで使用されるＰＲＡＣＨ機会とは、ＰＲＡＣＨプリアンブルが送信されうる時間および周波数を意味する。ＰＲＡＣＨ機会は、ｐｒａｃｈ−ＣｏｎｆｉｇｕｒａｔｉｏｎＩｎｄｅｘ、ｍｓｇ１−ＦＤＭおよびｍｓｇ１−ＦｒｅｑｕｅｎｃｙＳｔａｒｔというパラメータによるＲＡＣＨ−ＣｏｎｆｉｇＧｅｎｅｒｉｃ ＩＥによって構成される。ＢＷＰ上のＰＲＡＣＨ機会の構成は、初期アクセスを可能にするために常に存在し得る初期ＢＷＰを除いて、必須ではない場合がある。また、物理アップリンク制御チャネル（ＰＵＣＣＨ）の場合、ＢＷＰは、ＰＵＣＣＨリソースを構成されてもされなくてもよい。ＰＵＣＣＨが構成されていない理由は、ＰＵＣＣＨがリソースを占有している可能性があり、特に構成されているがアクティブではないＢＷＰでオーバヘッドが発生する可能性があるためである。
【発明の概要】
【００１１】
本実施形態の目的は、ＢＷＰを無線通信ネットワークでハンドリングする（取り扱う）方法を改善することである。
【００１２】
本実施形態の一態様によれば、この目的は、無線通信ネットワークへのユーザ装置（ＵＥ）のランダムアクセスのための、ダウンリンク（ＤＬ）、第１のアップリンク（ＵＬ１）および第２のアップリンク（ＵＬ２）のそれぞれのための帯域幅パート（ＢＷＰ）を取得するために、ユーザ装置（ＵＥ）によって実行される方法によって達成される。
【００１３】
物理ランダムアクセスチャネル（ＰＲＡＣＨ）機会を伴うすべてのＵＬ１ ＢＷＰについて、ＰＲＡＣＨ機会を伴い、同じ帯域幅パート識別情報（ｂｗｐ ｉｄ）を有する、対応するＵＬ２ ＢＷＰが存在することが仮定される場合、ＵＥは、ＰＲＡＣＨ機会を伴い、第１のｂｗｐ ｉｄを有するＵＬ１ ＢＷＰと、これと同じである第１のｂｗｐ ｉｄを有するＤＬ ＢＷＰとを取得し、ＵＬ１ ＢＷＰおよびＤＬ ＢＷＰが取得された後、ＵＥは、ＰＲＡＣＨ機会を伴い、同じ第１のｂｗｐ ｉｄを有するＵＬ２ ＢＷＰを取得する。
【００１４】
そうでない場合、ＵＥは、つぎのいずれか１つを実行する：
−  ＰＲＡＣＨ機会を伴うとともに、共通の第１のｂｗｐ ｉｄを有するＵＬ１ ＢＷＰおよびＵＬ２ ＢＷＰが存在する場合、ＵＥは、これらのＵＬ１ ＢＷＰおよびＵＬ２ ＢＷＰを選択し、同じ第１のｂｗｐ ｉｄを有するＤＬ ＢＷＰを選択すること、
−  共通の第１のｂｗｐ ｉｄを有するＵＬ１ ＢＷＰおよびＵＬ２ ＢＷＰが存在しない場合、ＵＥは、ＵＬ１、ＵＬ２、およびＤＬのそれぞれについて、初期ＢＷＰを選択し、それによって、ＵＬ１ ＢＷＰ、ＵＬ２ ＢＷＰ、およびＤＬ ＢＷＰは、同じ第１のｂｗｐ ｉｄを有すること。
【００１５】
本実施形態のさらなる態様によれば、目的は、無線通信ネットワークへのユーザ装置（ＵＥ）のランダムアクセスのために、それぞれのダウンリンク（ＤＬ）、第１のアップリンク（ＵＬ１）、および第２のアップリンク（ＵＬ２）のための帯域幅パート（ＢＷＰ）を取得するように、ユーザ装置（ＵＥ）を構成するためのネットワークノードによって実行される方法によって達成される。ネットワークノードは、次の１つ以上についてＵＥを構成する：
物理ランダムアクセスチャネル（ＰＲＡＣＨ）機会を伴うすべてのＵＬ１ ＢＷＰについて、同じ帯域幅パート識別情報（ｂｗｐ ｉｄ）を有するＰＲＡＣＨ機会を伴う対応するＵＬ２ ＢＷＰが存在することが仮定される場合に、第１のｂｗｐ ｉｄを有するＰＲＡＣＨ機会を伴うＵＬ１ ＢＷＰと、同じ第１のｂｗｐ ｉｄを有するＤＬ ＢＷＰとを取得することと、ＵＬ１ ＢＷＰおよびＤＬ ＢＷＰが取得された後、同じ第１のｂｗｐ ｉｄを有するＰＲＡＣＨ機会を伴うＵＬ２ ＢＷＰを取得することと、
そうでない場合に、次のいずれか１つを実行することと：
− ＰＲＡＣＨ機会を伴うとともに、共通の第１のｂｗｐ ｉｄを有するＵＬ１ ＢＷＰおよびＵＬ２ ＢＷＰが存在する場合、これらのＵＬ１ ＢＷＰおよびＵＬ２ ＢＷＰを選択することと、これと同じ第１のｂｗｐ ｉｄを有するＤＬ ＢＷＰを選択することと、
−  共通の第１のｂｗｐ ｉｄを有するＰＲＡＣＨの機会を伴うＵＬ１ ＢＷＰおよびＵＬ２ ＢＷＰが存在しない場合、ＵＬ１、ＵＬ２およびＤＬのそれぞれに対して初期ＢＷＰを選択することと、その結果、ＵＬ１ ＢＷＰ、ＵＬ２ ＢＷＰおよびＤＬ ＢＷＰは、同じ第１のｂｗｐ ｉｄを有することになる。
【００１６】
本実施形態の一態様によれば、この目的は、無線通信ネットワークへのユーザ装置（ＵＥ）のランダムアクセスのための、ダウンリンク（ＤＬ）、第１のアップリンク（ＵＬ１）、および第２のアップリンク（ＵＬ２）のそれぞれのための帯域幅パート（ＢＷＰ）を取得するように構成されたユーザ装置（ＵＥ）によって達成される。ＵＥは、以下のいずれか１つまたは複数を有するように構成される：
物理ランダムアクセスチャネル（ＰＲＡＣＨ）機会を伴うすべてのＵＬ１ ＢＷＰについて、同じ帯域幅パート識別情報（ｂｗｐ ｉｄ）を有するＰＲＡＣＨ機会を伴う対応するＵＬ２ ＢＷＰが存在することが仮定される場合に、第１のｂｗｐ ｉｄを有するように適合したＰＲＡＣＨ機会を伴うＵＬ１ ＢＷＰと、これと同じ第１のｂｗｐ ｉｄを有するＤＬ ＢＷＰとを取得し、ＵＬ１ ＢＷＰおよびＤＬ ＢＷＰが取得された後、同じ第１のｂｗｐ ｉｄを有するように適合したＰＲＡＣＨ機会を伴うＵＬ２ ＢＷＰを取得し、そうでない場合に、以下のいずれか１つを実行する：
−  ＰＲＡＣＨ機会を伴うとともに、共通の第１のｂｗｐ ｉｄを有するＵＬ１ ＢＷＰおよびＵＬ２ ＢＷＰが存在する場合、これらのＵＬ１ ＢＷＰおよびＵＬ２ ＢＷＰを選択し、これと同じ第１のｂｗｐ ｉｄを有するＤＬ ＢＷＰを選択し、
−  ＰＲＡＣＨ機会を伴うとともに、共通の第１のｂｗｐ ｉｄを有するＵＬ１ ＢＷＰおよびＵＬ２ ＢＷＰが存在しない場合、ＵＬ１、ＵＬ２およびＤＬのそれぞれについて初期ＢＷＰを選択し、それによって、ＵＬ１ ＢＷＰ、ＵＬ２ ＢＷＰおよびＤＬ ＢＷＰは、同じ第１のｂｗｐ ｉｄを有するように適合する。
【００１７】
本実施形態のさらなる態様によれば、この目的は、無線通信ネットワークへのユーザ装置（ＵＥ）のランダムアクセスのための、それぞれのダウンリンク（ＤＬ）、第１のアップリンク（ＵＬ１）、および第２のアップリンク（ＵＬ２）のための帯域幅パート（ＢＷＰ）を取得するように、ユーザ装置（ＵＥ）を構成するためのネットワークノードによって達成される。ネットワークノードは、以下のいずれか１つ以上にＵＥを構成するように適合している：
物理ランダムアクセスチャネル（ＰＲＡＣＨ）機会を伴うすべてのＵＬ１ ＢＷＰについて、同じ帯域幅パート識別情報（ｂｗｐ ｉｄ）を有するＰＲＡＣＨ機会を伴う対応するＵＬ２ ＢＷＰが存在すると仮定される場合、第１のｂｗｐ ｉｄを有するように適合されたＰＲＡＣＨ機会を伴うＵＬ１ ＢＷＰと、これと同じ第１のｂｗｐ ｉｄを有するＤＬ ＢＷＰとを取得し、ＵＬ１ ＢＷＰおよびＤＬ ＢＷＰが取得された後、同じ第１のｂｗｐ ｉｄを有するＰＲＡＣＨ機会を伴うＵＬ２ ＢＷＰを取得し、そうでない場合、以下のうちのいずれか１つを実行する：
−  ＰＲＡＣＨ機会を伴い、共通の第１のｂｗｐ ｉｄを有するＵＬ１ ＢＷＰおよびＵＬ２ ＢＷＰが存在する場合、これらのＵＬ１ ＢＷＰおよびＵＬ２ ＢＷＰを選択し、これと同じ第１のｂｗｐ ｉｄを含むように適合したＤＬ ＢＷＰを選択し、
−  ＰＲＡＣＨ機会を伴い、共通の第１のｂｗｐ ｉｄを有するＵＬ１ ＢＷＰおよびＵＬ２ ＢＷＰが存在しない場合、ＵＬ１、ＵＬ２およびＤＬのそれぞれについて初期ＢＷＰを選択し、ＵＬ１ ＢＷＰ、ＵＬ２ ＢＷＰおよびＤＬ ＢＷＰは、それによって同じ第１のｂｗｐ ｉｄを含むように適合される。
【図面の簡単な説明】
【００１８】
【図１】は、無線通信ネットワークの実施形態を示す概略ブロック図である。
【００１９】
【図２ａ】および
【図２ｂ】は、ＵＥにおける方法の実施形態を示すフローチャートである。
【００２０】
【図３】は、ネットワークノードにおける方法の実施形態を示すフローチャートである。
【００２１】
【図４ａ】および
【図４ｂ】は、本実施形態の概略ブロック図である。
【００２２】
【図５ａ】および
【図５ｂ】は、本実施形態の概略ブロック図である。
【００２３】
【図６ａ】および
【図６ｂ】は、本実施形態の概略ブロック図である。
【００２４】
【図７ａ】および
【図７ｂ】は、本実施形態の概略ブロック図である。
【００２５】
【図８ａ】および
【図８ｂ】は、ＵＥの実施形態を示す概略ブロック図である。
【００２６】
【図９ａ】および
【図９ｂ】は、ネットワークノードの実施形態を示す概略構成図である。
【００２７】
【図１０】は、中間ネットワークを介してホストコンピュータに接続された通信ネットワークを概略的に示す。
【００２８】
【図１１】は、部分的に無線コネクションを介したユーザ機器と基地局を介して通信するホストコンピュータの一般化された構成図である。
【００２９】
【図１２】および
【図１３】および
【図１４】および
【図１５】は、ホストコンピュータ、基地局、およびユーザ装置を含む通信システムにおいて実施される方法を示すフローチャートである。
【発明を実施するための形態】
【００３０】
本発明者らは、ここでの開発中の実施形態の一部として、最初に論じる問題を特定した。
【００３１】
ＵＥがランダムアクセス手順を開始すると、まず、アクティブなＢＷＰがＰＲＡＣＨの機会を含むことと、ＤＬ ＢＷＰがアクティブなＵＬ ＢＷＰと同じｂｗｐ−ｉｄを有することと、を保証してもよい。これは、３ＧＰＰ ３８．３２１ ｖ１５．２．０のセクション５．１５ ＢＷＰオペレーションに規定されている：
【００３２】
「サービングセル上でランダムアクセス手順が開始されると、ＭＡＣエンティティは、このサービングセルのために以下のことを実行すべきである：
１＞ アクティブなＵＬ ＢＷＰのためにＰＲＡＣＨ機会が構成されていない場合：
２＞ アクティブなＵＬ ＢＷＰを、初期アップリンクＢＷＰ（ｉｎｉｔｉａｌＵｐｌｉｎｋＢＷＰ）で示されるＢＷＰへ切り替える；
２＞ サービングセルがＳｐＣｅｌｌの場合：
３＞ アクティブなＤＬ ＢＷＰを、初期ダウンリンクＢＷＰ（ｉｎｉｔｉａｌＤｏｗｎｌｉｎｋＢＷＰ）で示されるＢＷＰへ切り替える。
【００３３】
１＞ それ以外の場合：
２＞ サービングセルがＳｐＣｅｌｌの場合：
３＞ アクティブなＤＬ ＢＷＰがアクティブなＵＬ ＢＷＰと同じｂｗｐ−Ｉｄを有していない場合：
４＞ アクティブなＤＬ ＢＷＰ を、アクティブなＵＬ ＢＷＰ と同じｂｗｐ−Ｉｄ を持つＤＬ ＢＷＰ に切り替える。
【００３４】
１＞ＳｐＣｅｌｌのアクティブなＤＬ ＢＷＰおよびこのサービングセルのアクティブなＵＬ ＢＷＰに対してランダムアクセス手順を実行する。
【００３５】
ランダムアクセスを実行する場合、ＮＵＬまたはＳＵＬの選択も行われてもよい。
これについては、５．１．１項「ランダムアクセス手順の開始」に記載されている：
【００３６】
「１＞ ランダムアクセス手順に使用するキャリアが明示的にシグナリングされている場合：
２＞ ランダムアクセス手順を実行するためにシグナリングされたキャリアを選択する；
２＞ シグナリングされたキャリアのＰＣＭＡＸ，ｆ，ｃにＰＣＭＡＸを設定する。
【００３７】
１＞ そうでない場合、ランダムアクセス手順に使用するキャリアが明示的にシグナリングされなていない場合、
１＞ ランダムアクセス手順のためのサービングセルが補助的アップリンク（ｓｕｐｐｌｅｍｅｎｔａｒｙＵｐｌｉｎｋ）で構成されている場合、
１＞ ダウンリンクパスロス基準の低ＲＳＲＰがｒｓｒｐ−ＴｈｒｅｓｈｏｌｄＳＳＢ−ＳＵＬより小さい場合：
２＞ ランダムアクセス手順を実行するためのＳＵＬキャリアを選択する；
２＞ ＳＵＬキャリアのＰＣＭＡＸ，ｆ，ｃに PCMAXを設定する。
【００３８】
１＞ それ以外の場合：
２＞ ランダムアクセス手順を実行するためのＮＵＬキャリアを選択する；
２＞ ＮＵＬキャリアのＰＣＭＡＸ，ｆ，ｃにＰＣＭＡＸを設定する」。
【００３９】
ＵＬ ＢＷＰとＤＬ ＢＷＰが同じである必要がある、すなわち同じｂｗｐ ｉｄを有する必要がある理由は、ＵＥが、ｂｗｐ ｉｄ ＝ｋを有するＵＬ ＢＷＰ上でプリアンブルを送信するとき、ネットワークは、ｂｗｐ ｉｄ ＝ｋを有するＤＬ ＢＷＰ上のランダムアクセスレスポンス（ＲＡＲ）メッセージで応答するからである。これは、ＵＬ ＢＷＰおよびＤＬ ＢＷＰが同じである必要があることを意味し、そうでなければ、ＵＥは、誤ったＢＷＰ上でＲＡＲを探すことになってしまうからである。
【００４０】
プリアンブルが初期ＵＬ ＢＷＰ上で送信される場合、ネットワークは、初期ＤＬ ＢＷＰ上でランダムアクセスレスポンス（ＲＡＲ）メッセージで応答する。
【００４１】
ＵＬ ＢＷＰとＤＬ ＢＷＰとの間に不一致がある場合、ＲＡＲがＵＥによって受信されることが保証されないだろう。これは、任意の時点において、ＵＥが１つのアクティブなＵＬ ＢＷＰおよび１つのアクティブなＤＬ ＢＷＰを有するからである。ＵＥは、アクティブなＢＷＰ上でのみ送信および受信する。各ＵＬ ＢＷＰおよびＤＬ ＢＷＰは、ｂｗｐ ｉｄを有し、ＲＡＲは、ＰＲＡＣＨプリアンブルが送信されたＵＬ ＢＷＰと同じｂｗｐ ｉｄを有するＤＬ ＢＷＰ上で送信されることが規定されている。
【００４２】
「Ｒ２−１８１２９５０、ＳＵＬが構成されている場合におけるＲＡトリガによるＢＷＰスイッチの考慮、ＺＴＥ、Ｓａｎｅｃｈｉｐｓ、３ＧＰＰ ＴＳＧ＝ＲＡＮ ＷＧ２ ミーティング＃１０３、２０１８年８月２０日から２４日開催」で提起されている未解決の問題は、ＮＵＬとＳＵＬの両方が切り替えられるように構成されている場合にＢＷＰ切り替えがどのように行われるかが明確に記載されていないことにある。「Ｒ２−１８１２９５０、ＳＵＬが構成されている場合におけるＲＡトリガによるＢＷＰスイッチの考慮、ＺＴＥ、Ｓａｎｅｃｈｉｐｓ、３ＧＰＰ ＴＳＧ＝ＲＡＮ ＷＧ２ ミーティング＃１０３、２０１８年８月２０日から２４日開催」で提案されている解決手段は、最初にＮＵＬ／ＳＵＬ選択を実行することで、ＢＷＰ切り替えを実行するときには、選択されたキャリアを考慮するだけでよいとするものである。
【００４３】
ＮＵＬ／ＳＵＬを選択する前にＢＷＰ切り替えが実行される場合、両方のキャリア上のＢＷＰおよびＤＬ ＢＷＰは、同じｂｗｐ−ｉｄに切り替えられる必要があるだろう。これにより、（ＤＬ ｂｗｐ ｉｄがＵＬ ＢＷＰと一致していなければならないため）ＮＵＬ／ＳＵＬを選択した後に新しい切り替えを実行する必要性が回避可能となる。問題は、構成されたＢＷＰ（およびそれらがＰＲＡＣＨ機会を含むかどうか）とアクティブなＢＷＰとの両方がＳＵＬとＮＵＬとの間で異なる可能性があることを考慮すると、これをどのように行うかが明らかでないことである。
【００４４】
したがって、本実施形態の目的は、ＵＥが、無線通信ネットワーク内のＵＥにおいてＮＵＬおよびＳＵＬの両方で構成される場合に、ＢＷＰをハンドリングする方法を改善することであってもよい。
【００４５】
ここでの例示的な実施形態は、たとえば、ＮＵＬおよびＳＵＬの両方が構成されるときにＢＷＰスイッチング（切り替え）の問題に対処する方法に関する。本実施形態によれば、ＮＵＬキャリアおよびＳＵＬキャリア上のＢＷＰコンフィギュレーション（構成）に対してどのような仮定を行うことができるかに応じて、異なるスイッチング方式が説明される。本実施形態では、ＢＷＰが（ＮＵＬまたはＳＵＬに関係なく）構成されたＰＲＡＣＨ機会を伴う場合、これと同じｂｗｐ ｉｄを有するＤＬ ＢＷＰが存在すると仮定することができる。ＵＬ ＢＷＰコンフィギュレーション（構成）について、主な仮定は、ＰＲＡＣＨ機会（オケージョン）を伴うＮＵＬ ＢＷＰがある場合、これと同じｂｗｐ ｉｄを有する、ＳＵＬ上にＰＲＡＣＨ機会を伴う、対応するＢＷＰが存在すること、であってもよい。
【００４６】
本実施形態の利点は、ＮＮＵＬおよびＳＵＬの両方が同じｂｗｐ−ｉｄを有し、ＰＲＡＣＨ機会を有し、ＤＬ ＢＷＰが同じｂｗｐ−ｉｄ上にあるように、ＵＬおよびＳＵＬの両方が構成される場合に、ＢＷＰの効率的な切り替えが提供されることである。
【００４７】
本実施形態は、一般に無線通信ネットワークに関する。図１は、無線通信ネットワーク１００を示す概略図である。無線通信ネットワーク１００は、１つまたは複数のＲＡＮおよび１つまたは複数のＣＮを有する。無線通信ネットワーク１００は、ＮＲを使用することができるが、さらに使用してもよい、いくつかの考えられる実装を挙げると、５Ｇ、ＮＢ−ＩｏＴ、ＣＡＴ−Ｍ、Ｗｉ−Ｆｉ、ｅＭＴＣ、ロングタームエボリューション（ＬＴＥ）、ＬＴＥ−アドバンスド、ワイドバンド符号分割多元接続（ＷＣＤＭＡ（登録商標））、移動体通信のためのグローバルシステム／ＧＳＭエボリューションのためのエンハンスドデータレート（ＧＳＭ／ＥＤＧＥ）、マイクロ波アクセスのためのワールドワイドインターオペラビリティ（ＷｉＭａｘ）またはウルトラモバイルブロードバンド（ＵＭＢ）などがあるが、これは可能な実装のほんのいくつかに言及したにすぎない。
【００４８】
ネットワークノードは、ネットワークノード１１０のような無線通信ネットワーク１００内で動作し、地理的領域であるセル１１において無線カバレッジを提供する。また、セル１１は、サービスエリア、ビームもしくはビームのグループ、複数のＴＲＰ、または、複数のＢＷＰと呼ばれてもよい。セル１１は、複数のビーム、複数のＴＲＰ、または複数のＢＷＰなどの複数のＵＬキャリアを構成される。たとえば、ＳＵＬキャリアとＮＲ ＵＬキャリアの両方を構成されたＮＲセルがある。セル１１は、少なくとも第１のＵＬキャリア（ＵＬ１）および第２のＵＬ （ＵＬ２）キャリアを有し、第１のＵＬキャリア（ＵＬ１）は、ＮＵＬキャリア１１１であり、第２のＵＬキャリア（ＵＬ２）は、ＳＵＬキャリア１１２であってもよい。また、第２のＵＬキャリア（ＵＬ２）がＮＵＬキャリア１１１であり、第１のＵＬキャリアＵＬ１がＳＵＬキャリア１１２である場合もある。ＳＵＬキャリアは、たとえば、ＮＲ ＵＬキャリアに関連付けられてもよく、すなわち、ＮＲ ＵＬキャリアは、拡張されたＵＬカバレッジを提供するＳＵＬキャリアであるようなキャリアであってもよい。
【００４９】
ネットワークノード１１０は、送受信ポイント、たとえば、基地局のような無線アクセスネットワークノードであっもよく、たとえば、ノードＢ、進化型ノードＢ（ｅＮＢ、ｅノードＢ）、ＮＲノードＢ（ｇＮＢ）、基地送受信局、無線遠隔ユニット、アクセスポイント基地局、基地局ルータ、無線基地局の送信アレンジメント、スタンドアロンアクセスポイント、無線ローカルエリアネットワーク（ＷＬＡＮ）アクセスポイントまたはアクセスポイントステーション（ＡＰ ＳＴＡ）、アクセス制御装置などの無線基地局、または、たとえば、使用される無線アクセス技術および用語に応じた、ネットワークノード１１０によってサービスされるセル１１内のＵＥと通信することができる任意の他のネットワークユニットであってもよい。ネットワークノード１１０は、サービング無線ネットワークノードと呼ばれてもよく、ＵＥ１２０へのダウンリンク（ＤＬ）送信およびＵＥ１２０からのアップリンク（ＵＬ）送信を用いてＵＥ１２０と通信する。
【００５０】
たとえば、ＵＥ１２０のような無線デバイスは、無線通信ネットワーク１００内で動作する。ＵＥ１２０は、たとえば、ＮＲデバイス、移動局、無線端末、ＮＢ−ＩｏＴデバイス、ｅＭＴＣデバイス、ＣＡＴ−Ｍデバイス、ＷｉＦｉデバイス、ＬＴＥデバイス、および非アクセスポイント（非ＳＰ）ＳＴＡ、たとえば、ネットワークノード１１０のような基地局、１つまたは複数のアクセスネットワーク（ＡＮ）、たとえば、ＲＡＮを介して１つまたは複数のコアネットワーク（ＣＮ）と通信するＳＴＡであってもよい。「ＵＥ」は、任意の端末、無線通信端末、ユーザ装置、デバイスツーデバイス（Ｄ２Ｄ）端末、またはノード、たとえば、スマートフォン、ラップトップ、携帯電話、センサ、リレー、モバイルタブレット、またはセル内で通信する小型基地局を意味する非限定的な用語であることを、当業者は理解されたい。
【００５１】
本実施形態による方法は、ＵＥ１２０またはネットワークノード１１０によって実行されてもよい。代替として、たとえば、図１に示されるようなクラウド１４０に含まれる分散ノードＤＮおよび機能が、本方法を実行するために、または部分的に実行するために使用されてもよい。
【００５２】
図２ａおよび図２ｂは、たとえば、ＤＬと、第１のアップリンク（ＵＬ１）と、第２のアップリンク（ＵＬ２）とのそれぞれについて、たとえば、無線通信ネットワーク１００へのＵＥ１２０によるランダムアクセスのために、ＢＷＰを取得するための、ＵＥ１２０によって実行される例示的な方法を示す。この方法は、以下のアクションのいずれかを含むことができる：
【００５３】
本実施形態によれば、ＢＷＰが、たとえば、ＮＵＬのようなＵＬ１と、たとえば、ＳＵＬキャリアのようなＵＬ２とのどれに構成されるかというような仮定に応じて、異なるスイッチング方式が実行されるであろう。これは、たとえばＮＵＬなどのＵＬ１と、たとえばＳＵＬなどのＵＬ２との両方が、ＮＵＬとＳＵＬの両方が同じｂｗｐ−ｉｄを有し、ＰＲＡＣＨ機会を有し、ＤＬ ＢＷＰも同じｂｗｐ−ｉｄを有するように構成されるときに、ＢＷＰの効率的なスイッチングを提供するためである。
【００５４】
図２ａに示されるオプションのアクション２００ａで、ＵＥ１２０は、ＮＵＬおよびＳＵＬキャリアのようなＵＬ１およびＵＬ２でのＢＷＰ構成についてどのような仮定がなされてもよいかに基づいて、ＵＥ１２０がどのアクションを実行するかを決定する。
【００５５】
ＰＲＡＣＨ機会を有するすべてのＵＬ１ ＢＷＰについて、それと同じｂｗｐ ｉｄを有するＰＲＡＣＨ機会を有する対応するＵＬ２ ＢＷＰが存在すると仮定すると、ＵＥ１２０は、以下のアクション２０１および２０２が実行されるべきであると判定する。
【００５６】
ＰＲＡＣＨ機会を伴うとともに、共通の第１のｂｗｐ ｉｄを有するＵＬ１ ＢＷＰおよびＵＬ２ ＢＷＰが存在する場合、ＵＥ１２０は、以下のアクション２０３および２０４が実行されるべきであると決定する。
【００５７】
ＰＲＡＣＨ機会を伴うとともに、共通の第１のｂｗｐ ｉｄを有するＵＬ１ ＢＷＰおよびＵＬ２ ＢＷＰが存在しない場合、ＵＥ１２０は、以下のアクション２０５が実行されるべきであると判定する。
【００５８】
図２ｂに示されるオプションのアクション２００ｂでは、ＵＥ１２０は、（ａ）、（ｂ）のうちのいずれか１つが仮定されるか、（ａ）および（ｂ）のうちのいずれも仮定されないかを決定してもよい。代替として、ＵＥ１２０は、（ａ）および（ｂ）のいずれかにしたがって、たとえば、ネットワークノード１１０によって構成されてもよい。
【００５９】
（ａ）では、たとえば、ＰＲＡＣＨ機会を伴うＮＵＬ ＢＷＰなどのすべてのＵＬ１について、たとえば、物理ランダムアクセスチャネル（ＰＲＡＣＨ）機会を伴うＳＵＬなどのＵＬ２に、同じ帯域幅パート識別情報（ｂｗｐ ｉｄ）を伴う対応するＢＷＰが存在すると、仮定されるか、または構成される。
【００６０】
（ｂ）では、たとえば、ＰＲＡＣＨ機会を伴うＳＵＬ ＢＷＰのような全てのＵＬ２について、たとえば、ＰＲＡＣＨ機会を伴うＮＵＬのようなＵＬ１に、同じ帯域幅パート識別情報（ｂｗｐ ｉｄ）を有する対応するＢＷＰが存在すると仮定する。
【００６１】
（ａ）が仮定または構成されるとき、ＵＥ１２０は、たとえば、アクション２０１および２０２に関するものなどを含む第１のルールにしたがって、たとえば、ＮＵＬなどのＵＬ１、たとえば、ＳＵＬなどのＵＬ２、およびランダムアクセスのためのＤＬのいずれかのために、ＢＷＰのスイッチング（切り替え）方式を実行する。
【００６２】
（ｂ）が仮定または構成される場合、ＵＥ１２０は、たとえば、アクション２０１および２０２に関するものなどを含む第２のルールにしたがって、たとえば、ＮＵＬなどのＵＬ１、たとえば、ＳＵＬなどのＵＬ２、およびランダムアクセスのためのＤＬのうちのいずれかのために、ＢＷＰのスイッチングを実行する。
【００６３】
（ａ）および（ｂ）のいずれも仮定または構成されていない場合、ＵＥ１２０は、たとえばアクション２０５を含む第３のルールにしたがって、たとえばＮＵＬなどのＵＬ１、たとえばＳＵＬなどのＵＬ２、およびランダムアクセスのためのＤＬのいずれかのために、ＢＭＰのスイッチングを実行する。
【００６４】
以下のアクションは、図２ａおよび図２ｂの両方に示されている。
【００６５】
アクション２０１.
ＰＲＡＣＨ 機会を伴うＵＬ１ ＢＷＰのすべてについて、同一のｂｗｐ ｉｄを有し、ＰＲＡＣＨ機会を伴う対応するＵＬ２ ＢＷＰが存在することが仮定される場合、ＵＥ１２０は、第１のｂｗｐ ｉｄを有し、ＰＲＡＣＨ機会を伴うＵＬ１ ＢＷＰと、同じ第１のｂｗｐ ｉｄ を伴うＤＬ ＢＷＰとを取得、たとえば、そのままそれに留めるか、または、それに切り替える。いくつかの実施形態で、ＵＥ１２０は、アクティブなＢＷＰに留めるか、または、初期ＢＷＰに切り替えることによって、ＰＲＡＣＨ機会を伴うＵＬ１ ＢＷＰを取得してもよい。
【００６６】
アクション２０２.
ＵＬ１ ＢＷＰおよびＤＬ ＢＷＰが取得された後、ＵＥ１２０は、同じ第１のｂｗｐ ｉｄを有する、ＰＲＡＣＨ機会を伴うＵＬ２ ＢＷＰを取得、たとえば、そのままに留めるか、または、それに切り替える。このようにして、ＢＷＰの効率的な切り替えが提供され、ＵＬ１およびＵＬ２の両方は、ＵＬ１およびＵＬ２の両方が同じｂｗｐ−ｉｄを有し、ＰＲＡＣＨ機会を持ち、ＤＬ ＢＷＰも同じｂｗｐ−ｉｄ上にあるように、構成される。
【００６７】
（ａ）に関するいくつかの実施形態では、第１のルールは、を含む：
アクティブなＮＵＬ ＢＷＰにＰＲＡＣＨが存在しない場合、アクション２０１における取得は、アクティブなＮＵＬおよびＤＬをそれぞれの初期ＢＷＰに切り替えることを含むことができ、ＮＵＬ ＢＷＰおよびＤＬ ＢＷＰが切り替えられた後、アクション２０２における取得は、ＳＵＬを初期ＢＷＰに切り替えることを含むことができ、これにより、ＳＵＬ、ＮＵＬ、およびＤＬはすべて同じｂｗｐ ｉｄを有する。
【００６８】
アクティブなＮＵＬ ＢＷＰにＰＲＡＣＨが存在する場合、アクション２０１で取得することは、アクティブなＮＵＬ ＢＷＰと同じｂｗｐ ｉｄを有するＢＷＰにＤＬを切り替えることを含むことができ、ＤＬ ＢＷＰが切り替えられた後、アクション２０２で取得することは、アクティブなＮＵＬ ＢＷＰと同じｂｗｐ ｉｄを有するＢＷＰにＳＵＬを切り替えることを含むことができ、これによりＳＵＬ、ＮＵＬ、およびＤＬはすべて同じｂｗｐ ｉｄを有する。
【００６９】
（ｂ）に関するいくつかの実施形態では、第２のルールは、以下を含む：
アクティブなＳＵＬ ＢＷＰにＰＲＡＣＨが存在しない場合、アクション２０１（２０１）における取得は、アクティブなＳＵＬおよびＤＬをそれぞれの初期ＢＷＰに切り替えることを含み、ＳＵＬ ＢＷＰおよびＤＬ ＢＷＰが切り替えられた後、取得すること（２０２）は、ＮＵＬを初期ＢＷＰに切り替えることを含み、これによりＳＵＬ、ＮＵＬ、およびＤＬはすべて同じｂｗｐ ｉｄを有し、アクティブなＳＵＬ ＢＷＰにＰＲＡＣＨが存在する場合、取得すること（２０１）は、ＤＬをアクティブなＳＵＬ ＢＷＰと同じｂｗｐ ｉｄを有するＢＷＰに切り替えることを含み、ＤＬ ＢＷＰが切り替えられた後、取得すること（２０２）は、ＮＵＬをアクティブなＳＵＬ ＢＷＰと同じｂｗｐ ｉｄを有するＢＷＰに切り替えること（２０９ｂ）を含み、これによりＳＵＬ、ＮＵＬ、およびＤＬはすべて同じｂｗｐ ｉｄを有する。
【００７０】
アクション２０３.
ＰＲＡＣＨ機会を伴うとともに、共通の第１のｂｗｐ ｉｄを有するＵＬ１ ＢＷＰおよびＵＬ２ ＢＷＰが存在する場合、ＵＥ１２０は、これらのＵＬ１ ＢＷＰおよびＵＬ２ ＢＷＰを選択する。
【００７１】
アクション２０４.
その後、ＵＥ１２０は、同じ第１のｂｗｐ ｉｄを含むＤＬ ＢＷＰも選択する。また、このようにして、ＢＷＰの効率的なスイッチングが提供され、ＵＬ１およびＵＬ２の両方は、ＵＬ１およびＵＬ２の両方が、同じｂｗｐ−ｉｄを有し、ＰＲＡＣＨ機会を有し、ＤＬ ＢＷＰも同じｂｗｐ−ｉｄ上にあるように構成される。
【００７２】
アクション２０５.
ＰＲＡＣＨ機会を伴うとともに、共通の第１のｂｗｐ ｉｄを有するＵＬ１ ＢＷＰおよびＵＬ２ ＢＷＰが存在しない場合、つまり（ａ）および（ｂ）のいずれでもない場合、ＵＥ１２０は、ＵＬ１、ＵＬ２、およびＤＬのそれぞれについて初期ＢＷＰを選択する。それによって、ＵＬ１ ＢＷＰ、ＵＬ２ ＢＷＰ、およびＤＬ ＢＷＰは、同じ第１のｂｗｐ ｉｄを有することになる。これは、第３のルールに関連する。したがって、このようにしても、ＵＬ１およびＵＬ２の両方が同じｂｗｐ−ｉｄを有し、ＰＲＡＣＨ機会を有し、ＤＬ ＢＷＰも同じｂｗｐ−ｉｄ上にあるように、ＵＬ１およびＵＬ２の両方が構成されるといった、ＢＷＰの効率的なスイッチングが提供される。
【００７３】
いくつかの実施形態では、ＵＬ１は、ノーマルアップリンク（ＮＵＬ）によって表され、ＵＬ２は、補助アップリンク（ＳＵＬ）によって表される。
【００７４】
いくつかの他の実施形態では、ＵＬ２はＮＵＬによって表され、ＵＬ１はＳＵＬによって表される。
【００７５】
図３は、たとえば、無線通信ネットワーク１００へのＵＥ１２０のランダムアクセスのために、ＵＥ１２０がＤＬ、ＵＬ１、およびＵＬ２のそれぞれのためにＢＷＰを取得するように構成するための、ネットワークノード１１０によって実行される、例示的な手法を示す。コンフィギュレーション（構成）することは、たとえば、ハードコードされてもよく、または、ＵＥ１２０にシグナリングされてもよい。この方法は、以下の動作を含むことができる。
【００７６】
アクション３００で、ネットワークノード１１０は、（ａ）、（ｂ）のうちのいずれか１つが仮定されるか、および／もしくは、構成されているかどうか、または、（ａ）および（ｂ）の両方とも仮定も、構成もされていないかどうかを判定する。
【００７７】
アクション３０１において、ネットワークノード１１０は、たとえば、ＵＥ１２０から無線通信ネットワーク１００へのランダムアクセスなどのために、上記の方法のアクション２００〜２０５のうちのいずれか１つ以上にしたがって、ＤＬ、ＵＬ１、およびＵＬ２のそれぞれについてのＢＷＰを取得するようにＵＥ１２０を構成するか、これをハードコード化するか、ＵＥ１２０にシグナリングすることができる。
【００７８】
以下の例は、図４ａ、図４ｂ、図５ａ、図５ｂ、図６ａ、図６ｂ、図７ａ、図７ｂに示すように、ランダムアクセスのためのＮＵＬ、ＳＵＬ、およびＤＬのいずれかのためのＢＭＰのスイッチング（切り替え）を伴うスケジューリング方式を含む。
図４ａ、図５ａ、図６ａ、および図７ａは、ＢＷＰの切り替え前のそれぞれのシナリオを示し、図４ｂ、図５ｂ、図６ｂ、および図７ｂは、切り替え後のそれぞれのシナリオを示す。
【００７９】
図４ａ、図４ｂ、図５ａ、図５ｂ、図６ａ、図６ｂ、図７ａ、および図７ｂにおいて、斜線のボックスは、ＮＵＬ、ＳＵＬ、およびＤＬのいずれかのためのＢＷＰがアクティブであることを示す。ＲＡＣＨとマークされた点線のボックスは、ＮＵＬおよび／またはＳＵＬがＰＲＡＣＨの機会を伴うことを示す。
【００８０】
本実施形態の詳細を説明するために、以下に記載される複数の実施形態がある。
【００８１】
以下の例では、いくつかの他の実施形態によれば、ＮＵＬは第１のＵＬ（ＵＬ１）によって表され、ＳＵＬは第２のＵＬ（ＵＬ２）によって表される。
【００８２】
いくつかの他の実施形態では、ＮＵＬは第２のＵＬ（ＵＬ２）によって表され、ＳＵＬは第１のＵＬ（ＵＬ１）によって表される。
【００８３】
いくつかの第１の実施形態では、ＰＲＡＣＨ機会を伴うすべてのＮＵＬ ＢＷＰについて、ＰＲＡＣＨ機会を伴うＳＵＬ上に同じｂｗｐ ｉｄを有する対応するＢＷＰがあると仮定される。これは、図４ａおよび４ｂに示されている。
図４ａは、ＢＷＰのスイッチング前のスイッチング方式を示し、図４ｂは、スイッチング後のスイッチング方式を示す。これは、アクション２０１および２０２に関連する。
【００８４】
第１の実施形態のいくつかで、ＵＥ１２０は、ＮＵＬキャリアについて、３ＧＰＰ ３８．３２１ ｖ１５．２．０、セクション５．１５「帯域幅パート運用」にしたがってＢＷＰスイッチが実行されることを決定する。
【００８５】
スイッチングの前に、ｂｗｐ−ｉｄ ＝３を有するＮＵＬ ＢＷＰは、ＰＲＡＣＨの機会なしにアクティブである。図４ａを参照されたい。さらに、ｂｗｐ−ｉｄ #１を有するＳＵＬ ＢＷＰは、ＰＲＡＣＨの機会を有するとともにアクティブであり、ｂｗｐ−ｉｄ ＝２を有するＤＬ ＢＷＰはアクティブである。
【００８６】
この例では、アクティブなＮＵＬ ＢＷＰにはＰＲＡＣＨが存在しないため、ＮＵＬ ＢＷＰとＤＬ ＢＷＰがイニシャル（初期）ＢＷＰに切り替わることを意味する。図４ｂを参照されたい。本実施形態によれば、ＮＵＬおよびＤＬ ＢＷＰが切り替えられた後、ＳＵＬもこのＢＷＰに切り替えられる。現在の仮定で、スイッチング方式は、ＮＵＬおよびＳＵＬの両方が同じｂｗｐ−ｉｄを持つとともにＰＲＡＣＨ機会を持つこと、および、ＤＬ ＢＷＰが同じｂｗｐ−ｉｄ上にあることを保証する。
【００８７】
図５ａおよび５ｂは、同じ仮定を有する第１の実施形態の別の例を示し、すなわち、ＮＵＬ上のアクティブなＢＷＰは、ＲＡＣＨ、すなわちＰＲＡＣＨ機会を伴うｂｗｐ−ｉｄ ２である。スイッチングの前に、ｂｗｐ−ｉｄ ＝２を有するＮＵＬ ＢＷＰは、アクティブであるとともに、ＰＲＡＣＨ機会を伴う。図５ａを参照されたい。さらに、ｂｗｐ−ｉｄ ＝１のＳＵＬ ＢＷＰは、アクティブであるとともに、ＰＲＡＣＨの機会を伴い、ｂｗｐ−ｉｄ ＝１のＤＬ ＢＷＰがアクティブである。
【００８８】
この場合、ＮＵＬのスイッチは不要であるが、ＤＬ ＢＷＰはＮＵＬと同じｂｗｐ−ｉｄ、すなわちｂｗｐ−ｉｄ ＝２にスイッチされる。この後、ＳＵＬもｂｗｐ−ｉｄ ２に切り替えられ、ＮＵＬキャリアに一致する。図５ａは、ＢＷＰのスイッチング前のスイッチング方式を示し、図５ｂは、スイッチング後のスイッチング方式を示す。これは、アクション２０１および２０２にも関係する。
【００８９】
いくつかの第２の実施形態では、ＰＲＡＣＨ機会を伴うすべてのＳＵＬ ＢＷＰについて、ＰＲＡＣＨ機会を伴うＮＵＬ上に同じｂｗｐ ｉｄを有する、対応するＢＷＰがあると仮定される。これは図６ａおよび６ｂに示されている。図６ａは、ＢＷＰのスイッチング前のスイッチング方式を示し、図６ｂは、スイッチング後のスイッチング方式を示す。
【００９０】
第２の実施形態のいくつかでは、ＢＷＰスイッチは、ＳＵＬキャリアについて、３ＧＰＰ ３８．３２１ ｖ１５．２．０、セクション５．１５「帯域幅パート動作」にしたがって実行される。
【００９１】
スイッチングの前に、ｂｗｐ−ｉｄ ＝３を有するＮＵＬ ＢＷＰは、ＰＲＡＣＨの機会を伴わないが、アクティブである。図６ａを参照されたい。さらに、ｂｗｐ−ｉｄ ＝１のＳＵＬ ＢＷＰはＰＲＡＣＨの機会を持つとともにアクティブであり、ｂｗｐ−ｉｄ ＝２のＤＬ ＢＷＰはアクティブである。
【００９２】
この例では、ＳＵＬはアクティブなＢＷＰのままであり、ＤＬ ＢＷＰはｂｗｐ ｉｄ ＝１のＢＷＰに切り替わることを意味する。本実施形態によれば、ＳＵＬおよびＤＬ ＢＷＰが切り替えられた後、ＮＵＬも、ｂｗｐ ｉｄ＝１を有するこのＢＷＰに切り替えられる。現在の仮定では、スイッチング方式は、ＮＵＬおよびＳＵＬの両方が同じｂｗｐ−ｉｄを有し、ＰＲＡＣＨ機会を伴うこと、および、ＤＬ ＢＷＰが同じｂｗｐ−ｉｄ上にあることを保証する。これは、アクション２０１および２０２にも関係する。
【００９３】
図７ａおよび図７ｂに示すいくつかの第３の実施形態によれば、規格で義務付けられているものを除いて、ＮＵＬおよびＳＵＬのＢＷＰ構成およびＰＲＡＣＨ構成については仮定されていない。すなわち、ＰＲＡＣＨの機会を伴う初期のＢＷＰが常に存在する。図７ａおよび７ｂは、初期ＢＷＰ上にＰＲＡＣＨ機会が存在することを除いて、ＮＵＬおよびＳＵＬ上のＰＲＡＣＨ構成について仮定がなされない例を示し、図７ａは、ＢＷＰの切り替え前の切り替え方式を示し、図７ｂは、切り替え後の切り替え方式を示す。スイッチングの前に、ｂｗｐ−ｉｄ ＝３を有するＮＵＬ ＢＷＰは、ＰＲＡＣＨの機会なしにアクティブである。図４ａを参照されたい。さらに、ｂｗｐ−ｉｄ #１を有するＳＵＬ ＢＷＰは、ＰＲＡＣＨの機会を伴い、かつ、アクティブであり、ｂｗｐ−ｉｄ ＝２を有するＤＬ ＢＷＰはアクティブである。全てのＮＵＬ ＢＷＰを切り替えた後、ＳＵＬ ＢＷＰおよびＤＬ ＢＷＰは、初期ＢＷＰに切り替えられる。これは、アクション２０５にも関係する。
【００９４】
第３の実施形態のいくつかでは、ＮＵＬおよびＳＵＬの両方がＰＲＡＣＨ機会を伴うものであり、初期ＢＷＰを除いて、いずれかの共通ｂｗｐ ｉｄがあるかどうかについて第１のチェックが行うわれてもよい。
【００９５】
ＮＵＬおよびＳＵＬの両方にＰＲＡＣＨ機会を伴う１つの共通ＢＷＰのみが存在する場合、このＢＷＰが選択される。
【００９６】
ＮＵＬおよびＳＵＬの両方にＰＲＡＣＨ機会を伴う２つ以上の共通ＢＷＰが存在する場合、ＢＷＰの選択は、以下のうちの１つにしたがって実行されてもよい：
●ＮＵＬ上でＰＲＡＣＨ機会を伴い、最も小さい共通のｂｗｐ ｉｄ。
【００９７】
●ＳＵＬ上でＰＲＡＣＨの機会を伴い、最も小さい共通のｂｗｐ ｉｄ。
【００９８】
●ＰＲＡＣＨ機会を伴い、かつ、これが共通のｂｗｐ ｉｄである場合、ＮＵＬ上でのアクティブなＢＷＰ。
【００９９】
●ＰＲＡＣＨ機会を伴い、かつ、これが共通のｂｗｐ ｉｄである場合、ＳＵＬ上でのアクティブなＢＷＰ。
【０１００】
図７ｂに示すように、ＮＵＬおよびＳＵＬの両方でＰＲＡＣＨ機会を伴う共通のＢＷＰがない場合、初期ＢＷＰに切り替わる。
【０１０１】
以上により、ＵＬ ＢＷＰが選択されると、ＤＬ ＢＷＰを、選択されたｂｗｐ−ｉｄに切り替える。
【０１０２】
本実施形態によるこのスイッチング方式は、ＮＵＬとＳＵＬの両方が同じｂｗｐ−ｉｄを持ち、それらがＰＲＡＣＨ機会を持ち、および、ＤＬ ＢＷＰが同じｂｗｐ−ｉｄ上にあることを保証することができる。
【０１０３】
ネットワークノード１１０は、ｂｗｐ ｉｄを含み、ＰＲＡＣＨ機会を伴うＮＵＬ ＢＷＰごとに、同じｂｗｐ ｉｄを含み、ＰＲＡＣＨ機会を伴う、対応するＳＵＬ ＢＷＰが存在するように、ＢＷＰを構成することができる。
【０１０４】
図８ａおよび図８ｂは、ＵＥ１２０における構成の例を示す。
【０１０５】
ＵＥ１２０は、互いに通信するように構成された入出力インターフェース８００を備えることができる。入出力インターフェースは、無線受信機（図示せず）および無線送信機（図示せず）を備えることができる。
【０１０６】
ＵＥ１２０は、取得ユニット８１０と、選択ユニット８２０と、決定ユニット８３０と、切替ユニット８４０とを有し、本明細書で説明されるような方法のアクションを実行することができる。
【０１０７】
本実施形態は、本実施形態の機能およびアクションを実行するためのそれぞれのコンピュータプログラムコードとともに、図８ａに示されるＵＥ１２０内の処理回路のプロセッサ８５０など、それぞれのプロセッサまたは１つまたは複数のプロセッサを介して実装されてもよい。上述のプログラムコードは、たとえば、ＵＥ１２０にロードされたときに本実施形態を実行するためのコンピュータプログラムコードを搬送するデータキャリアの形態で、コンピュータプログラムプロダクトとして提供されてもよい。そのようなキャリアの１つは、ＣＤ ＲＯＭディスクの形態であってもよい。しかしながら、メモリスティックのような他のデータキャリアでも実現可能である。コンピュータプログラムコードはさらに、サーバ上に純粋なプログラムコードとして提供され、ＵＥ１２０にダウンロードされてもよい。
【０１０８】
ＵＥ１２０は、１つまたは複数のメモリユニットを備えるそれぞれのメモリ８６０をさらに備えることができる。メモリは、ＵＥ１２０内のプロセッサによって実行可能な命令を含む。メモリは、ＵＥ１２０において実行されているときにここでの方法を実行するために、仮定、命令、データ、コンフィギュレーション（構成）、およびアプリケーションを格納するために使用されるように構成される。
【０１０９】
いくつかの実施形態では、コンピュータプログラム８７０は、少なくとも１つのプロセッサによって実行されるとき、ＵＥ１２０の少なくとも１つのプロセッサに上記のアクションを実行させる命令を含む。
【０１１０】
いくつかの実施形態では、それぞれのキャリア８８０は、それぞれのコンピュータプログラムを備え、キャリアは、電子信号、光信号、電磁信号、磁気信号、電気信号、無線信号、マイクロ波信号、またはコンピュータ可読記憶媒体のうちの１つである。
【０１１１】
また、当業者は、以下で説明するＵＥ１２０内の機能モジュールが、アナログ回路とディジタル回路との組合せ、および／または、たとえば、ＵＥ１２０内に格納された、ソフトウェアおよび／またはファームウェアで構成された１つまたは複数のプロセッサを指すことができ、それらは、上述したプロセッサなどのそれぞれの１つまたは複数のプロセッサによって実行されるときに、それぞれの少なくとも１つのプロセッサに、上述したアクションのうちのいずれかにしたがってアクションを実行させることを理解するであろう。他のデジタルハードウェアと同様に、これらプロセッサの１つまたは複数が単一の特定用途集積回路（ＡＳＩＣ）に含まれることもあるし、または、いくつかのプロセッサおよび種々のデジタルハードウェアは、個別にパッケージされたものであれ、システムオンチップ（ＳｏＣ）に組み込まれたものであれ、いくつかの別々のコンポーネント間に分散配置されることもある。
【０１１２】
図９ａおよび図９ｂは、ネットワークノード１１０におけるアレンジメントの例示を示す。
【０１１３】
ネットワークノード１１０は、互いに通信するように構成された入出力インターフェース９００を備えることができる。入出力インターフェースは、無線受信機（図示せず）および無線送信機（図示せず）を備えることができる。
【０１１４】
ネットワークノード１１０は、構成ユニット９１０、取得ユニット９２０、選択ユニット９３０、および決定ユニット９４０を有し、本明細書で説明する方法のアクションを実行することができる。
【０１１５】
本実施形態は、本実施形態の機能およびアクションを実行するためのそれぞれのコンピュータプログラムコードとともに、図９ａに示されるネットワークノード１１０内の処理回路のプロセッサ９５０など、それぞれのプロセッサまたは１つまたは複数のプロセッサを介して実装されてもよい。上述のプログラムコードは、コンピュータプログラム製品として、たとえば、ネットワークノード１１０にロードされるときに本実施形態を実行するためのコンピュータプログラムコードを運ぶデータキャリアの形態で提供することもできる。そのようなキャリアの１つは、ＣＤ ＲＯＭディスクの形態であってもよい。しかしながら、メモリスティックのような他のデータキャリアでも実現可能である。さらに、コンピュータプログラムコードは、純粋なプログラムコードとしてサーバー上に提供され、ネットワークノード１１０にダウンロードされてもよい。
【０１１６】
ネットワークノード１１０は、１つまたは複数のメモリユニットを備えるそれぞれのメモリ９６０をさらに備えることができる。メモリは、ネットワークノード１１０内のプロセッサによって実行可能な命令を含む。
【０１１７】
メモリは、ネットワークノード１１０で実行されるとき、ここでの方法を実行するための命令、データ、構成、およびアプリケーションを格納するために使用されるように構成される。
【０１１８】
いくつかの実施形態では、コンピュータプログラム９７０は、少なくとも１つのプロセッサによって実行されるとき、ネットワークノード１１０の少なくとも１つのプロセッサに上記の動作を実行させる命令を含む。
【０１１９】
いくつかの実施形態では、それぞれのキャリア９８０は、それぞれのコンピュータプログラムを備え、キャリアは、電子信号、光信号、電磁信号、磁気信号、電気信号、無線信号、マイクロ波信号、またはコンピュータ可読記憶媒体のうちの１つである。
【０１２０】
当業者であれば、以下で説明するネットワークノード１１０内の機能モジュールは、アナログ回路とディジタル回路の組合せ、および／または、たとえばネットワークノード１１０に記憶された、ソフトウェアおよび／またはファームウェアで構成された１つまたは複数のプロセッサを指すことができ、これらは、上述のプロセッサなどのそれぞれの１つまたは複数のプロセッサによって実行されると、それぞれの少なくとも１つのプロセッサに、上述のアクションのいずれかにしたがってアクションを実行させることも理解されよう。他のデジタルハードウェアと同様に、これらプロセッサの１つまたは複数が単一の特定用途集積回路（ＡＳＩＣ）に含まれることもあるし、または、いくつかのプロセッサおよび種々のデジタルハードウェアは、個別にパッケージされたものであれ、システムオンチップ（ＳｏＣ）に組み込まれたものであれ、いくつかの別々のコンポーネント間に分散配置されることもある。
【０１２１】
用語「有する（ｃｏｍｐｒｉｓｅ）」または「有している（ｃｏｍｐｒｉｓｉｎｇ）」を使用する場合、それは、非限定的であると解釈されるべきであり、すなわち、「少なくとも含む」を意味する。
【０１２２】
本実施形態は、上述の好ましい実施形態に限定されない。様々な代替、修正、および均等物を使用してもよい。
【０１２３】
以下、いくつかの例示的な実施形態１〜３２について簡単に説明する。たとえば、図２、３、８ａ、８ｂ、９ａおよび９ｂを参照のこと。
【０１２４】
実施形態１  ダウンリンク（ＤＬ）、第１のアップリンク（ＵＬ１）、および、第２のアップリンク（ＵＬ２）のそれぞれについて、たとえば、無線通信ネットワーク１００へのユーザ装置（ＵＥ）１２０のランダムアクセスのために、帯域幅パート（ＢＷＰ：部分帯域幅）を取得するために、ユーザ装置ＵＥ１２０によって実行される方法であって、当該方法あｈ、以下のうちの任意の１つまたは複数を含む：
物理ランダムアクセスチャネル（ＰＲＡＣＨ）機会を伴うすべてのＵＬ１ ＢＷＰについて、同じ帯域幅パート識別情報（ｂｗｐ ｉｄ）を有し、ＰＲＡＣＨ機会を伴う、対応するＵＬ２ ＢＷＰが存在することが仮定される場合に、第１のｂｗｐ ｉｄを有し、ＰＲＡＣＨ機会を伴うＵＬ１ ＢＷＰと、それと同じ第１のｂｗｐ ｉｄを有するＤＬ ＢＷＰとを、取得、たとえば、そのままに維持、または、それに切り替え（２０１）、ＵＬ１ ＢＷＰとＤＬ ＢＷＰとが取得された後に、たとえば、同じ第１のｂｗｐ ｉｄを有し、ＰＲＡＣＨ機会を伴う、ＵＬ２ ＢＷＰを取得、たとえば、そのまま留まるか、または、それに切り替え（２０２）、
そうでない場合に、以下のいずれか１つを実行する：
共通の第１のｂｗｐ ｉｄを有し、ＰＲＡＣＨ機会を伴う、ＵＬ１ ＢＷＰおよびＵＬ２ ＢＷＰが存在する場合、これらのＵＬ１ ＢＷＰおよびＵＬ２ ＢＷＰを選択し（２０３）、同じ第１のｂｗｐ ｉｄを有するＤＬ ＢＷＰを選択し（２０４）、
共通の第１のｂｗｐ ｉｄを有し、ＰＲＡＣＨ機会を伴う、ＵＬ１ ＢＷＰおよびＵＬ２ ＢＷＰが存在しない場合、ＵＬ１、ＵＬ２およびＤＬのそれぞれについて初期ＢＷＰを選択し（２０５）、ＵＬ１ ＢＷＰ、ＵＬ２ ＢＷＰおよびＤＬ ＢＷＰは、それによって同じ第１のｂｗｐ ｉｄを有することとなる。
【０１２５】
実施形態２  実施形態１の方法であって、以下のうちのいずれか１つである：
ＵＬ１はノーマルアップリンク（ＮＵＬ）であり、ＵＬ２は補助アップリンク（ＳＵＬ）であること、
ＵＬ２がＮＵＬであり、ＵＬ１がＳＵＬであること。
【０１２６】
実施形態３  実施形態１から２のいずれかに記載の方法であって、取得すること（２０１、２０２）のいずれかが、そのまま留まること、または、切り替えること、のうちのいずれか１つによって表される。
【０１２７】
実施形態４  実施形態１から２のいずれか１つに記載の方法であって、ＰＲＡＣＨ機会を伴うＵＬ１ ＢＷＰを取得すること（２０１）およびＵＬ１ ＢＷＰのために取得することは、アクティブなＢＷＰ上に留まること、または、初期ＢＷＰに切り替えることのうちのいずれか１つを有する。
【０１２８】
実施形態５  実施形態２から４のいずれかの方法であって：
ａ、もしくは、ｂ、または、ａよびｂのいずれでもないことが仮定されているかどうかを判定すること（２００）と、
ａは、ＰＲＡＣＨ機会を伴うすべてのＮＵＬ ＢＷＰについて、ＳＵＬ上に、物理ランダムアクセスチャネル（ＰＲＡＣＨ）機会を伴い、同一の帯域幅パート識別情報（ｂｗｐ ｉｄ）を有する、対応するＢＷＰが存在すると仮定すること、
ｂは、ＰＲＡＣＨ機会を伴うすべてのＳＵＬ ＢＷＰについて、ＮＵＬ上に、ＰＲＡＣＨ機会を伴い、同一の帯域幅パート識別情報（ｂｗｐ ｉｄ）を有する、対応するＢＷＰが存在すると仮定すること、であり、
ａが仮定される場合、第１のルールにしたがってランダムアクセスのために、ＮＵＬ、ＳＵＬおよびＤＬのいずれかについてＢＭＰのスイッチングスキームを実行することと、
ｂが仮定される場合、第２のルールにしたがってランダムアクセスのために、ＮＵＬ、ＳＵＬおよびＤＬのいずれかについてＢＭＰのスイッチングを実行し、
ａおよびｂのいずれもが仮定されない場合、第３のルールにしたがってランダムアクセスのために、ＮＵＬ、ＳＵＬおよびＤＬのいずれかについてＢＭＰのスイッチング方式を実行することと、を有する。
【０１２９】
実施形態６  実施形態５に記載の方法であって、前記第１のルールは以下を有する：
アクティブなＮＵＬ ＢＷＰにおいてＰＲＡＣＨが存在しない場合に、取得すること（２０１）は、アクティブなＮＵＬとダウンリンク（ＤＬ）とをそれぞれの初期ＢＷＰに切り替えることを含み、ＮＵＬ ＢＷＰとＤＬ ＢＷＰとが切り替えられた後、取得すること（２０２）は、ＳＵＬを初期ＢＷＰに切り替えることを含み、ここで、ＳＵＬ、ＮＵＬおよびＤＬはすべて同じｂｗｐ ｉｄを有し、
アクティブなＮＵＬ ＢＷＰにおいてＰＲＡＣＨが存在する場合、取得すること（２０１）は、ＤＬを、アクティブなＮＵＬ ＢＷＰと同じｂｗｐ ｉｄを有するＢＷＰに切り替えることを含み、ＤＬ ＢＷＰが切り替えられた後、取得すること（２０１）は、ＳＵＬを、アクティブなＮＵＬ ＢＷＰと同じｂｗｐ ｉｄを有するＢＷＰに切り替えることを含み、ここで、ＳＵＬ、ＮＵＬおよびＤＬはすべて同じｂｗｐ ｉｄを有することになる。
【０１３０】
実施形態７  実施形態１に記載の方法であって、前記第２のルールは、以下を有する：
アクティブなＳＵＬ ＢＷＰにＰＲＡＣＨが存在しない場合、取得すること（２０１）は、アクティブなＳＵＬおよびＤＬをそれぞれの初期ＢＷＰに切り替えることを含み、ＳＵＬ ＢＷＰおよびＤＬ ＢＷＰが切り替えられた後、取得すること（２０２）は、ＮＵＬを初期ＢＷＰに切り替えることを含み、ここで、ＳＵＬ、ＮＵＬ、およびＤＬはすべて同じｂｗｐ ｉｄを有し、
アクティブなＳＵＬ ＢＷＰにＰＲＡＣＨが存在する場合、取得すること（２０１）は、アクティブなＳＵＬ ＢＷＰと同じｂｗｐ ｉｄを有するＢＷＰにＤＬを切り替えることを含み、取得すること（２０２）は、ＤＬ ＢＷＰが切り替えられた後、アクティブなＳＵＬ ＢＷＰと同じｂｗｐ ｉｄを有するＢＷＰにＮＵＬを切り替えること（２０９ｂ）を含み、ここで、ＳＵＬ、ＮＵＬ、およびＤＬはすべて同じｂｗｐ ｉｄを有する。
【０１３１】
実施形態８  プロセッサによって実行されると、実施形態１から７のいずれかに係る動作をプロセッサに実行させる命令を含むコンピュータプログラム。
【０１３２】
実施形態９  実施形態８のコンピュータプログラムを有するキャリアであって、電気信号、光信号、電磁信号、磁気信号、電気的信号、無線信号、マイクロ波信号、またはコンピュータ可読記憶媒体のいずれかである。
【０１３３】
実施形態１０  ダウンリンク（ＤＬ）、第１のアップリンク（ＵＬ１）、および、第２のアップリンク（ＵＬ２）のそれぞれについて、たとえば、ユーザ装置（ＵＥ）１２０の無線通信ネットワーク１００へのランダムアクセスのために、帯域幅パート（ＢＷＰ）を取得するようにユーザ装置（ＵＥ）１２０を構成するためにネットワークノード１１０によって実行される方法であって、構成することは、ＵＥ１２０にハードコードされるか、またはシグナリングされ、前記方法は、ＵＥ１２０を、いかのいずれか１つまたは複数に構成すること（３０１）を含む：
物理ランダムアクセスチャネル（ＰＲＡＣＨ）機会を伴うＵＬ１ ＢＷＰのすべてについて、同じ帯域幅パート識別情報（ｂｗｐ ｉｄ）を有し、ＰＲＡＣＨ機会を伴う、対応するＵＬ２ ＢＷＰが存在することが仮定される場合、第１のｂｗｐ ｉｄを有し、ＰＲＡＣＨ機会を伴うＵＬ１ ＢＷＰと、これと同じ第１のｂｗｐ ｉｄを有するＤＬ ＢＷＰとを、取得すること（２０１）、たとえば、そのままに留めること、または、それに切り替えること（２０１）と、ＵＬ１ ＢＷＰとＤＬ ＢＷＰが取得された後に、同じ第１のｂｗｐ ｉｄを有し、ＰＲＡＣＨ機会を伴うＵＬ２ ＢＷＰを取得すること（２０２）、たとえば、そのままに留めること、または、それに切り替えることと、
そうでない場合、以下のいずれか１つを実行することと：
共通の第１のｂｗｐ ｉｄを有し、ＰＲＡＣＨ機会を伴う、ＵＬ１ ＢＷＰおよびＵＬ２ ＢＷＰが存在する場合、これらのＵＬ１ ＢＷＰおよびＵＬ２ ＢＷＰを選択すること（２０３）と、同じ第１のｂｗｐ ｉｄを含むＤＬ ＢＷＰを選択すること（２０４）と、
共通の第１のｂｗｐ ｉｄを有し、ＰＲＡＣＨ機会を伴う、ＵＬ１ ＢＷＰおよびＵＬ２ ＢＷＰが存在しない場合、ＵＬ１、ＵＬ２およびＤＬのそれぞれについて初期ＢＷＰを選択することと（２０５）、それによって、ＵＬ１ ＢＷＰ、ＵＬ２ ＢＷＰおよびＤＬ ＢＷＰは同じ第１のｂｗｐ ｉｄを有することとなる。
【０１３４】
実施形態１１  実施形態１０に記載の方法であって、以下のうちのいずれか１つである：
ＵＬ１はノーマルアップリンク（ＮＵＬ）であり、ＵＬ２は補助アップリンク（ＳＵＬ）であることと、
ＳＵＬ、ＵＬ２がＮＵＬであり、ＵＬ１がＳＵＬであること。
【０１３５】
実施形態１２  実施形態１０から１１のいずれかに記載の方法であって、
取得すること（２０１、２０２）のいずれかは、そのままに留めること、または、切り替えることとのうちのいずれか１つによって表される。
【０１３６】
実施形態１３  実施形態１０から１２のいずれか１つに記載の方法であって、
ＰＲＡＣＨ機会を伴うＵＬ１ ＢＷＰを取得すること（２０１）、ＵＬ１ ＢＷＰについて取得することは、アクティブなＢＷＰ上に留めること、または、初期ＢＷＰに切り替えることのうちのいずれか１つを含む。
【０１３７】
実施形態１４  実施形態１０から１３のいずれかに記載の方法であって：
（ａ）、（ｂ）、または、（ａ）および（ｂ）のいずれでもないこと、のうちのいずれか１つが仮定および／または構成されているかどうかを判定すること（３００）であって、
（ａ）ＰＲＡＣＨ機会を伴うすべてのＮＵＬ ＢＷＰについて、ＳＵＬ上に、物理ランダムアクセスチャネル（ＰＲＡＣＨ）伴い、同じ帯域幅パート識別情報（ｂｗｐ ｉｄ）を有する、対応するＢＷＰが存在すると仮定すること、
（ｂ）ＰＲＡＣＨ機会を伴うすべてのＳＵＬ ＢＷＰについて、ＮＵＬ上に、同じ帯域幅パート識別情報（ｂｗｐ ｉｄ）を有し、ＰＲＡＣＨ機会を伴う対応するＢＷＰが存在すると仮定すること、
（ａ）が仮定される場合、第１のルールにしたがってランダムアクセスのためのＮＵＬ、ＳＵＬ、およびＤＬのいずれかのためのＢＭＰのスイッチング方式を実行し、
（ｂ）が仮定される場合、第２のルールにしたがってランダムアクセスのためのＮＵＬ、ＳＵＬ、およびＤＬのいずれかのためのＢＭＰのスイッチングを実行し、
ａおよびｂのいずれでもないと仮定される場合、第３のルールにしたがってランダムアクセスのためのＮＵＬ、ＳＵＬ、およびＤＬのいずれかのためのＢＭＰのスイッチングを実行すること。
【０１３８】
実施形態１５  実施形態１４に記載の方法であって、第１ルールは：
アクティブなＮＵＬ ＢＷＰにおいてＰＲＡＣＨが存在しない場合、取得すること（２０１）は、アクティブなＮＵＬおよびダウンリンク（ＤＬ）をそれぞれの初期ＢＷＰに切り替えることを含み、ＮＵＬ ＢＷＰおよびＤＬ ＢＷＰが切り替えられた後、取得すること（２０２）は、ＳＵＬを初期ＢＷＰに切り替えることを含み、ＳＵＬ、ＮＵＬおよびＤＬはすべて同じｂｗｐ ｉｄを有し、
アクティブなＮＵＬ ＢＷＰにおいてＰＲＡＣＨが存在する場合、取得すること（２０１）は、ＤＬをアクティブなＮＵＬ ＢＷＰと同じｂｗｐ ｉｄを有するＢＷＰに切り替えることを含み、ＤＬ ＢＷＰが切り替えられた後、取得すること（２０１）は、ＳＵＬをアクティブなＮＵＬ ＢＷＰと同じｂｗｐ ｉｄを有するＢＷＰに切り替えることを含み、ここで、ＳＵＬ、ＮＵＬおよびＤＬはすべて同じｂｗｐ ｉｄを有することとなる。
【０１３９】
実施形態１６  実施形態１４に記載の方法であって、第２のルールは、以下を含む：
アクティブなＳＵＬ ＢＷＰにＰＲＡＣＨが存在しない場合、取得すること（２０１）は、アクティブなＳＵＬおよびＤＬをそれぞれの初期ＢＷＰに切り替えることを含み、ＳＵＬ ＢＷＰおよびＤＬ ＢＷＰが切り替えられた後、取得すること（２０２）は、ＮＵＬを初期ＢＷＰに切り替えることを含み、ここで、ＳＵＬ、ＮＵＬ、およびＤＬはすべて同じｂｗｐ ｉｄを有することとなり、
アクティブなＳＵＬ ＢＷＰにＰＲＡＣＨが存在する場合、取得すること（２０１）は、アクティブなＳＵＬ ＢＷＰと同じｂｗｐ ｉｄを有するＢＷＰにＤＬを切り替えることを含み、取得すること（２０２）は、ＤＬ ＢＷＰが切り替えられた後、アクティブなＳＵＬ ＢＷＰと同じｂｗｐ ｉｄを有するＢＷＰにＮＵＬを切り替えること（２０９ｂ）を含み、ここで、ＳＵＬ、ＮＵＬ、およびＤＬはすべて同じｂｗｐ ｉｄを有することとなる。
【０１４０】
実施形態１７  プロセッサによって実行されると、プロセッサに実施形態１０から１６のいずれかに係る動作を実行させる命令を含むコンピュータプログラム。
【０１４１】
実施形態１８  実施形態１７のコンピュータプログラムを有するキャリアであって、電気信号、光信号、電磁信号、磁気信号、電気的信号、無線信号、マイクロ波信号、またはコンピュータ可読記憶媒体のいずれかである。
【０１４２】
実施形態１９  ダウンリンク（ＤＬ）、第１のアップリンク（ＵＬ１）、および、第２のアップリンク（ＵＬ２）のそれぞれについて、たとえば、無線通信ネットワーク１００へのユーザ装置（ＵＥ） １２０のランダムアクセスのための、帯域幅パート（ＢＷＰ）を取得するように構成されたユーザ装置（ＵＥ） １２０であって、ＵＥ１２０は、以下のうちのいずれか１つまたは複数を有するように構成されている：
物理ランダムアクセスチャネル（ＰＲＡＣＨ）機会を伴うＵＬ１ ＢＷＰのすべてについて、同一の帯域幅パート識別情報（ｂｗｐ ｉｄ）を有し、ＰＲＡＣＨ機会を伴う、対応するＵＬ２ ＢＷＰが存在することが仮定される場合、たとえば、ＵＥ１２０内の取得ユニットによって、第１のｂｗｐ ｉｄを有するように適合し、ＰＲＡＣＨ機会を伴うＵＬ１ ＢＷＰと、同一の第１のｂｗｐ ｉｄを有するＤＬ ＢＷＰとを取得、たとえば、そのままに留める、または、それに切り替え、ＵＬ１ ＢＷＰとＤＬ ＢＷＰとが切り替えられた後で、たとえば、ＵＥ１２０内の取得ユニット８１０によって、同一の第１のｂｗｐ ｉｄを有するように適合し、ＰＲＡＣＨ機会を伴うＵＬ２ ＢＷＰを取得、たとえば、そのままに留める、または、それに切り替え、
そうでない場合、以下のいずれか１つを実行する：
共通の第１のｂｗｐ ｉｄを有し、ＰＲＡＣＨ機会を伴う、ＵＬ１ ＢＷＰおよびＵＬ２ ＢＷＰが存在する場合、たとえば、ＵＥ１２０内の選択ユニット８２０によって、これらのＵＬ１ ＢＷＰおよびＵＬ２ ＢＷＰを選択するとともに、同一の第１のｂｗｐ ｉｄを含むＤＬ ＢＷＰを選択することと、
共通の第１のｂｗｐ ｉｄを有し、ＰＲＡＣＨ機会を伴う、ＵＬ１ ＢＷＰおよびＵＬ２ ＢＷＰが存在しない場合、たとえば、ＵＥ１２０内の選択ユニット８２０によって、ＵＬ１、ＵＬ２およびＤＬについてそれぞれの初期ＢＷＰを選択することと、それによって、ＵＬ１ ＢＷＰ、ＵＬ２ ＢＷＰおよびＤＬ ＢＷＰは、同一の第１のｂｗｐ ｉｄを含むように適合する。
【０１４３】
実施形態２０  実施形態１９に記載のＵＥであって、以下のうちのいずれか１つである：
−  ＵＬ１は、ノーマルアップリンク（ＮＵＬ）を表すように適合しており、ＵＬ２は、補助アップリンク（ＳＵＬ）によって表されるように適合しており、
−  ＵＬ２は、ＮＵＬを表すように適合しており、ＵＬ１は、ＳＵＬを表すように適合している。
【０１４４】
実施形態２１  実施形態１９から２０のいずれかに記載のＵＥであって、取得することのいずれかが、そのまままに留めること、または、切り替えることと、のうちのいずれか１つによって表されるように適合している。
【０１４５】
実施形態２２  実施形態１９から２０のいずれかに記載のＵＥであって、ＵＥ１２０は、さらに、以下のように構成される：
ＰＲＡＣＨ機会を伴うＵＬ１ ＢＷＰを取得することは、アクティブなＢＷＰのままに留めることと、または、初期ＢＷＰに切り替えることと、のうちのいずれか１つを含むように適合している。
【０１４６】
実施形態２３  実施形態２０から２２のいずれかに記載のＵＥであって、ＵＥ１２０は、さらに、以下のように構成される：
ＵＥ１２０内の決定ユニット８３０によって、ａ、ｂまたはａおよびｂのいずれでもないことのうちのいずれが仮定されるように適合しているかどうかを決定し、
ａは、ＰＲＡＣＨ機会を伴うＮＵＬ ＢＷＰのすべてについて、ＳＵＬ上に、同じｂｗｐ ｉｄを有し、ＰＲＡＣＨ機会を伴う、対応するＢＷＰがあると仮定することであり、
ｂは、ＰＲＡＣＨ機会を伴うＳＵＬ ＢＷＰのすべてについて、ＮＵＬ上に、同じ帯域幅パート識別情報（ｂｗｐ ｉｄ）を有し、ＰＲＡＣＨ機会を伴う、対応するＢＷＰがあると仮定することであり、
たとえばＵＥ内の切替ユニット８４０によって、ａが仮定される場合、第１のルールにしたがってランダムアクセスのためのＮＵＬ、ＳＵＬ、およびＤＬのいずれかについてＢＭＰのスイッチング方式を実行し、
ｂが仮定される場合、第２のルールにしたがってランダムアクセスのためのＮＵＬ、ＳＵＬ、およびＤＬのいずれかについてＢＭＰのスイッチングを実行し、
ａおよびｂのいずれも仮定されない場合、ランダムアクセスのためのＮＵＬ、ＳＵＬ、およびＤＬのいずれかについてＢＭＰのスイッチングを実行する。
【０１４７】
実施形態２４  実施形態２３に記載のＵＥであって、第１のルールは、以下を含むように適合している：
ＵＥ１２０は、アクティブなＮＵＬ ＢＷＰ内にＰＲＡＣＨが存在しない場合、たとえばＵＥ１２０内の切替ユニットによって、取得することは、アクティブなＮＵＬおよびダウンリンク（ＤＬ）を、それぞれの初期ＢＷＰに切り替えることを含むように適合され、ＮＵＬ ＢＷＰおよびＤＬ ＢＷＰが切り替えられた後、取得することは、ＳＵＬを初期ＢＷＰに切り替えることを含むように適合され、ここで、ＳＵＬ、ＮＵＬおよびＤＬはすべて同じｂｗｐ ｉｄを有するようになり、
アクティブなＮＵＬ ＢＷＰ内にＰＲＡＣＨが存在する場合、取得することは、たとえばＵＥ１２０内の切替ユニットによって、アクティブなＮＵＬ ＢＷＰと同じｂｗｐ ｉｄを有するＢＷＰへＤＬを切り替えることを含むように適合され、たとえばＵＥ１２０内の切替ユニットによって、ＤＬ ＢＷＰが切り替えられた後に、取得することは、アクティブなＮＵＬ ＢＷＰと同じｂｗｐ ｉｄを有するＢＷＰへＳＵＬを切り替えることを含むように適合され、ここで、ＳＵＬ、ＮＵＬ、およびＤＬは、すべて同じｂｗｐ ｉｄを有するようになる。
【０１４８】
実施形態２５  実施形態１９に記載のＵＥであって、前記第２のルールは、以下を含むように適合される：
アクティブなＳＵＬ ＢＷＰにＰＲＡＣＨが存在しない場合に、取得することは、アクティブなＳＵＬおよびＤＬをそれぞれの初期ＢＷＰに切り替えることを含むように適合され、ＳＵＬ ＢＷＰおよびＤＬ ＢＷＰが切り替えられた後に、取得することは、ＮＵＬを初期ＢＷＰに切り替えることを含むように適合され、ここで、ＳＵＬ、ＮＵＬ、およびＤＬはすべて同じｂｗｐ ｉｄを有することとなり、
アクティブなＳＵＬ ＢＷＰにＰＲＡＣＨが存在する場合に、取得することは、アクティブなＳＵＬ ＢＷＰと同じｂｗｐ ｉｄを有するＢＷＰにＤＬを切り替えることを含むように適合され、ＤＬ ＢＷＰが切り替えられた後に、取得することは、アクティブなＳＵＬ ＢＷＰと同じｂｗｐ ｉｄを有するＢＷＰにＮＵＬを切り替えることを含むように適合され、ここで、ＳＵＬ、ＮＵＬ、およびＤＬはすべて同じｂｗｐ ｉｄを有するものとなる、ように、ＵＥ１２０はさらに構成される。
【０１４９】
実施形態２６  たとえば、ユーザ装置（ＵＥ）１２０の無線通信ネットワーク１００へのランダムアクセスのための、ダウンリンク（ＤＬ）、第１のアップリンク（ＵＬ１）、第２のアップリンク（ＵＬ２）のそれぞれのための帯域幅パート（ＢＷＰ）を取得するために、ユーザ装置（ＵＥ）１２０を構成するためのネットワークノード１１０であって、構成することは、ハードコード化またはＵＥ１２０にシグナリングされてもよく、ネットワークノード１１０は、たとえば、ネットワークノード１１０内の構成ユニットによって、ＵＥ１２０を構成することを含むように適合しており、ネットワークノード１１０は、以下のいずれかのうちの１つ以上についてＵＥ１２０を構成するように適合している：
物理ランダムアクセスチャネル（ＰＲＡＣＨ）機会を伴うすべてのＵＬ１ ＢＷＰについて、ＰＲＡＣＨ機会を伴い、同じ帯域幅パート識別情報（ｂｗｐ ｉｄ）を有する対応するＵＬ２ ＢＷＰが存在すると仮定される場合に、たとえば、ネットワークノード１１０内の取得ユニットによって、第１のｂｗｐ ｉｄを有するようにて適合され、ＰＲＡＣＨ機会を伴うＵＬ１ ＢＷＰと、同じ第１のｂｗｐ ｉｄを有するＤＬ ＢＷＰと、を取得、たとえば、そのままに留める、または、それに切り替え、ＵＬ１ ＢＷＰとＤＬ ＢＷＰとが取得された後に、ネットワークノード１１０内の取得ユニットによって、同じ第１のｂｗｐ ｉｄを有し、ＰＲＡＣＨ機会を伴うＵＬ２ ＢＷＰを、取得、たとえば、そのままに留める、または、それに切り替え、
そうでない場合、以下のいずれか１つを実行する：
共通の第１のｂｗｐ ｉｄを有し、ＰＲＡＣＨ機会を伴うＵＬ１ ＢＷＰおよびＵＬ２ ＢＷＰが存在する場合、たとえば、ネットワークノード１１０内の選択ユニットによって、これらのＵＬ１ ＢＷＰおよびＵＬ２ ＢＷＰを選択するとともに、同じ第１のｂｗｐ ｉｄを含むように適合されたＤＬ ＢＷＰを選択し、
共通の第１のｂｗｐ ｉｄを有し、ＰＲＡＣＨ機会を伴うＵＬ１ ＢＷＰおよびＵＬ２ ＢＷＰが存在しない場合、たとえば、ネットワークノード１１０内の選択ユニットによって、ＵＬ１、ＵＬ２およびＤＬのそれぞれについてそれぞれの初期のＢＷＰを選択し、それによって、ＵＬ１ ＢＷＰ、ＵＬ２ ＢＷＰおよびＤＬ ＢＷＰは同じ第１のｂｗｐ ｉｄを有するように適合される。
【０１５０】
実施形態２７  実施の形態２６に係るネットワークノード１１０であって、以下のうちの１つである：
ＵＬ１は、ノーマルアップリンク（ＮＵＬ）を表すように適合されており、ＵＬ２は、補助アップリンク（ＳＵＬ）を表すように適合されていること、
ＵＬ２は、ＮＵＬを表すように適合されており、ＵＬ１は、ＳＵＬを表すように適合されるていること。
【０１５１】
実施形態２８  実施形態２６から２７のいずれかに係るネットワークノード１１０であって、
取得することのいずれかが、留めること、または、切り替えることとのうちのいずれか一つを表すものであるように適合されている。
【０１５２】
実施形態２９  実施形態２６から２８のいずれかに記載のネットワークノード１１０であって、
ＰＲＡＣＨ機会を伴うＵＬ１ ＢＷＰを取得することは、アクティブなＢＷＰにそのまま留めること、または、初期ＢＷＰに切り替えること、のうちのいずれか１つを含むように適合される。
【０１５３】
実施形態３０  実施形態２６から２９のいずれかに記載のネットワークノード１１０であって、ネットワークノード１１０は、ＵＥ１２０を以下のように構成するようにさらに適合されている：
たとえば、ネットワークノード１１０内の決定ユニットによって、（ａ）であること、（ｂ）であること、（ａ）および（ｂ）のいずれでもないこと、のうちのいずれか１つが仮定および／または構成されているように適合されているかどうかを決定し、
（ａ）はＰＲＡＣＨ機会を伴うすべてのＮＵＬ ＢＷＰについて、ＳＵＬ上に、物理ランダムアクセスチャネル（ＰＲＡＣＨ）機会を伴い、同じ帯域幅パート識別情報（ｂｗｐ ｉｄ）を有する対応するＢＷＰが存在すると仮定することであり、
（ｂ）は ＰＲＡＣＨ機会を伴うすべてのＳＵＬ ＢＷＰについて、ＮＵＬ上に、ＰＲＡＣＨ機会を伴い、同じ帯域幅パート識別情報（ｂｗｐ ｉｄ）を有する対応するＢＷＰが存在すると仮定することであり、
ａが仮定される場合、第１のルールにしたがってランダムアクセスのために、ＮＵＬ、ＳＵＬ、およびＤＬのいずれかについてＢＭＰのスイッチング方式を実行し、
ｂが仮定される場合、第２のルールにしたがってランダムアクセスのために、ＮＵＬ、ＳＵＬ、およびＤＬのいずれかについてＢＭＰのスイッチングを実行し、
ａおよびｂのいずれでもないことが仮定される場合、第３のルールにしたがってランダムアクセスのためのＮＵＬ、ＳＵＬ、およびＤＬのいずれかについてＢＭＰのスイッチングを実行する。
【０１５４】
実施形態３１  実施形態３０に係るネットワークノード１１０であって、第１のルールは、以下を含むように適合されている：
アクティブなＮＵＬ ＢＷＰにおいてＰＲＡＣＨが存在しない場合、取得することは、たとえば、ネットワークノード１１０における取得ユニットによって、アクティブなＮＵＬとダウンリンク（ＤＬ）とをそれぞれの初期ＢＷＰに切り替えることを含むように適合されており、ＮＵＬ ＢＷＰおよびＤＬ ＢＷＰが切り替えられた後に、取得することは、たとえば、ネットワークノード１１０における取得ユニットによって、ＳＵＬを初期ＢＷＰに切りけることを含むように適合されており、ここで、ＳＵＬ、ＮＵＬおよびＤＬはいずれも同じｂｗｐ ｉｄを有し、
アクティブなＮＵＬ ＢＷＰにおいてＰＲＡＣＨが存在する場合、取得することは、ネットワークノード１１０内の取得ユニットによって、アクティブなＮＵＬ ＢＷＰと同じｂｗｐ ｉｄを有するＢＷＰにＤＬを切り替えることを含むように適合されており、ＤＬ ＢＷＰが切り替えられた後で、取得することは、ネットワークノード１１０内の取得ユニットによって、アクティブなＮＵＬ ＢＷＰと同じｂｗｐ ｉｄを有するＢＷＰにＳＵＬを切り替えることを含むように適合されており、ここで、ＳＵＬ、ＮＵＬ、ＤＬはすべて同じｂｗｐ ｉｄを持つ。
【０１５５】
実施形態３２  実施形態３０に係るネットワークノード１１０であって、第２のルールは以下を含むように適合されている：
アクティブなＳＵＬ ＢＷＰにおいてＰＲＡＣＨが存在しない場合、取得することは、たとえば、ネットワークノード１１０内の取得ユニットによって、アクティブなＳＵＬとＤＬとをそれぞれの初期ＢＷＰへ切り替えることを含むように適合され、ＳＵＬ ＢＷＰとＤＬ ＢＷＰとが切り替えられた後に、取得することは、たとえば、ネットワークノード１１０内の取得ユニットによって、ＮＵＬを初期ＢＷＰに切り替えることを含むように適合されており、ここで、ＳＵＬ、ＮＵＬ、およびＤＬはいずれも同じｂｗｐ ｉｄを有し、
アクティブなＳＵＬ ＢＷＰにおいてＰＲＡＣＨが存在する場合、取得することは、たとえば、ネットワークノード１１０内の取得ユニットによって、アクティブなＳＵＬ ＢＷＰと同じｂｗｐ ｉｄを有するＢＷＰへＤＬを切り替えることを含むように適合されており、取得することは、ＤＬ ＢＷＰが切り替えられた後に、たとえば、ネットワークノード１１０内の取得ユニットによって、アクティブなＳＵＬ ＢＷＰと同じｂｗｐ ｉｄを有するＢＷＰへＮＵＬを切り替えることを含むように適合されており、ここで、ＳＵＬ、ＮＵＬ、およびＤＬはすべて同じｂｗｐ ｉｄを有する。
【０１５６】
さらなる拡張および変形
図１０に関して、一実施形態によれば、通信システムは、たとえば、ＩｏＴネットワークまたはＷＬＡＮなど、無線通信ネットワーク１００のような通信ネットワーク３２１０、３ＧＰＰタイプのセルラネットワークのような、アクセスネットワーク３２１１と、コアネットワーク３２１４とを含むような、無線アクセスネットワークを含む。アクセスネットワーク３２１１は、ネットワークノード１１０、１３０、アクセスノード、ＡＰ ＳＴＡ、ＮＢ、ｅＮＢ、ｅＮＢ、ｇＮＢ、または他の種類のワイヤレスアクセスポイントなど、複数の基地局３２１２ａ、３２１２ｂ、３２１２ｃを含み、それぞれが対応するカバレッジエリア３２１３ａ、３２１３ｂ、３２１３ｃを画定する。基地局３２１２ａ、３２１２ｂ、３２１２ｃのそれぞれは、有線または無線コネクション３２１５を介してコアネットワーク３２１４に接続可能である。第１ユーザ装置（ＵＥ）、たとえば、カバレッジエリア３２１３ｃに位置する非ＡＰ ＳＴＡ３２９１のようなＵＥ１２０は、対応する基地局３２１２ｃと無線で接続され、または、または、ページングされるように構成されている。第２のＵＥ ３２９２、たとえば、カバレッジエリア３２１３ａ内の非ＡＰ ＳＴＡのような無線デバイス１２２は、対応する基地局３２１２ａに無線で接続可能である。この例では、複数のＵＥ３２９１、３２９２が示されているが、開示された実施形態は、単一のＵＥがカバレッジエリア内に存在する状況や、単一のＵＥが対応する基地局３２１２に接続している状況にも、等しく適用可能である。
【０１５７】
通信ネットワーク３２１０は、それ自体がホストコンピュータ３２３０に接続されており、これは、スタンドアロン型サーバ、クラウドに実装されたサーバ、分散型サーバ、またはサーバファーム内のプロセッシングリソースのハードウェアおよび／またはソフトウェアにおいて実装されてもよい。ホストコンピュータ３２３０は、サービスプロバイダの所有権または制御下にあってもよいし、サービスプロバイダによって、またはサービスプロバイダの代わりに運用されてもよい。通信ネットワーク３２１０とホストコンピュータ３２３０との間のコネクション３２２１、３２２２は、コアネットワーク３２１４からホストコンピュータ３２３０に直接的に延在していてもよく、あるいは任意の中間ネットワーク３２２０を介してもよい。中間ネットワーク３２２０は、パブリックネットワーク、プライベートネットワーク、またはホストネットワークのうちの１つ、または２つ以上の組合せとすることができ、中間ネットワーク３２３０は、もしあれば、バックボーンネットワークまたはインターネットとすることができ、特に、中間ネットワーク３２２０は、２つ以上のサブネットワーク（図示せず）を有することができる。
【０１５８】
全体として図１０の通信システムは、接続されたＵＥ３２９１、３２９２の１つとホストコンピュータ３２３０との間の接続を可能にする。コネクティビティ（接続性）は、オーバーザトップ（ＯＴＴ）コネクション３２５０として記述されてもよい。ホストコンピュータ３２３０および接続されたＵＥ３２９１、３２９２は、アクセスネットワーク３２１１、コアネットワーク３２１４、任意の中間ネットワーク３２２０、および考えられるさらなるインフラストラクチャ（図示せず）を媒介として使用して、ＯＴＴコネクション３２５０を介してデータおよび／またはシグナリングを通信するように構成される。ＯＴＴコネクション３２５０は、ＯＴＴコネクション３２５０が通過するように参加している通信デバイスが、アップリンク通信およびダウンリンク通信のルーティング（経路指定）に気付かないという意味でトランスペアレントでありうる。たとえば、基地局３２１２は、接続されたＵＥ ３２９１に転送される（たとえば、ハンドオーバされる）ためにホストコンピュータ３２３０から発信されるデータをもつ着信ダウンリンク通信の過去のルーティングについて知らされる必要はない。同様に、基地局３２１２は、ＵＥ３２９１からホストコンピュータ３２３０へ向かう発信されるアップリンク通信の将来のルーティングを認識する必要はない。
【０１５９】
実施形態にしたがって上記のパラグラフで説明したＵＥ、基地局およびホストコンピュータの実装の例は、図１１を参照して説明される。通信システム３３００において、ホストコンピュータ３３１０は、通信システム３３００の別の通信装置とのインターフェースを備えた有線または無線コネクションをセットアップして維持するように構成された通信インターフェース３３１６を含むハードウェア３３１５を有している。ホストコンピュータ３３１０は、記憶装置および／またはプロセッシング（演算処理）能力を有することができるプロセッシング回路３３１８をさらに含む。特に、プロセッシング回路３３１８は、命令を実行するように適合した１つまたは複数のプログラマブルプロセッサ、特定用途集積回路、フィールドプログラマブルゲートアレイ、またはこれらの組み合わせ（図示せず）を含んでもよい。ホストコンピュータ３３１０はさらにソフトウェア３３１１を有し、それがホストコンピュータ３３１０に記憶されるか、またはアクセス可能であり、処理回路３３１８によって実行可能である。ソフトウェア３３１１は、ホストアプリケーション３３１２を有する。ホストアプリケーション３３１２は、ＵＥ ３３３０およびホストコンピュータ３３１０で終端されるＯＴＴコネクション３３５０を介して接続するＵＥ ３３３０などのリモートユーザにサービスを提供するように動作可能であってもよい。リモートユーザにサービスを提供する際に、ホストアプリケーション３３１２は、ＯＴＴコネクション３３５０を使用して送信されるユーザデータを提供してもよい。
【０１６０】
通信システム３３００は、さらに、通信システム内に設けられ、ホストコンピュータ３３１０およびＵＥ ３３３０と通信することを可能にするハードウェア３３２５を有する基地局３３２０を有する。ハードウェア３３２５は、通信システム３３００の別の通信装置のインターフェースとの有線または無線コネクションをセットアップおよび維持するための通信インターフェース３３２６、ならびに、基地局３３２０によってサービスを提供されるカバレッジエリア（図示せず）に位置するＵＥ ３３３０との少なくとも１つの無線コネクション３３７０をセットアップおよび維持するための無線インターフェース３３２７を含むことができる。通信インターフェース３３２６は、ホストコンピュータ３３１０へのコネクション３３６０を可能にするように構成されてもよい。コネクション３３６０は、直接的なものであってもよいし、通信システムのコアネットワーク（図１１には示されていない）を通過するものであってもよいし、および／または、通信システムの外部の１つ以上の中間ネットワークを通過するものであってもよい。図示の実施形態では、基地局３３２０のハードウェア３３２５は、命令を実行するように適合した１つまたは複数のプログラマブルプロセッサ、特定用途集積回路、フィールドプログラマブルゲートアレイ、またはこれらの組み合わせ（図示せず）を含みうるプロセッシング回路３３２８をさらに有する。さらに、基地局３３２０は、内部に記憶されるか、または外部コネクションを介してアクセス可能なソフトウェア３３２１を有する。
【０１６１】
通信システム３３００は、すでに言及されたＵＥ ３３３０をさらに有する。そのハードウェア３３３５は、ＵＥ３３３０が現在位置しているカバレッジエリアにサービスを提供する基地局との無線コネクション３３７０をセットアップして、維持するように構成された無線インターフェース３３３７を有してもよい。ＵＥ３３３０のハードウェア３３３５は、命令を実行するように適合された１つまたは複数のプログラマブルプロセッサ、特定用途集積回路、フィールドプログラマブルゲートアレイ、またはこれらの組合せ（図示せず）を備えてもよいプロセッシング回路３３３８をさらに有する。ＵＥ３３３０はさらにソフトウェア３３３１を有し、これらはＵＥ３３３０内に記憶されるかアクセス可能であり、またプロセッシング回路３３３８によって実行可能である。ソフトウェア３３３１は、クライアントアプリケーション３３３２を有する。クライアントアプリケーション３３３２は、ホストコンピュータ３３１０のサポートを受けて、ＵＥ３３３０を介して人間または非人間のユーザにサービスを提供するように動作可能である。ホストコンピュータ３３１０において、実行中のホストアプリケーション３３１２は、ＵＥ ３３３０で終端されるＯＴＴコネクション３３５０およびホストコンピュータ３３１０を介して実行中のクライアントアプリケーション３３３２と通信してもよい。ユーザにサービスを提供する際に、クライアントアプリケーション３３３２は、ホストアプリケーション３３１２から要求データを受信し、要求データに応答してユーザデータを提供してもよい。ＯＴＴコネクション３３５０は、リクエストデータとユーザデータの両方を伝送してもよい。クライアントアプリケーション３３３２は、ユーザと対話して、ユーザが提供するユーザデータを生成してもよい。
【０１６２】
図１１に示されるホストコンピュータ３３１０、基地局３３２０、およびＵＥ ３３３０は、ホストコンピュータ３２３０、基地局３２１２ａ、３２１２ｂ、３２１２ｃのうちの１つ、および図１２のＵＥ３２９１、３２９２のうちの１つとそれぞれ同一でありうることに留意されたい。すなわち、これらのエンティティの内部動作は、図１１に示されるようなものであってもよいし、これとは独立したものであってもよいし、周囲のネットワークトポロジは図１０のものであってもよい。
【０１６３】
図１１では、基地局３３２０を介したホストコンピュータ３３１０とユーザ装置３３３０との間の通信を示すために、ＯＴＴコネクション３３５０が抽象的に描かれているが、いかなる中間デバイスも明示的に参照されてはおらず、これらの装置を介したメッセージの正確なルーティングも参照されていない。ネットワークインフラストラクチャは、ルーティングを決定してもよく、ルーティングは、ＵＥ３３３０から、またはホストコンピュータ３３１０を運用するサービスプロバイダから、あるいはその両方から隠すように構成されてもよい。ＯＴＴコネクション３３５０がアクティブな間、ネットワークインフラストラクチャは、（たとえば、ロードバランシングの考慮またはネットワークの再構成に基づいて）ルーティングを動的に変更する決定をさらに行うことができる。
【０１６４】
ＵＥ３３３０と基地局３３２０との間の無線コネクション３３７０は、本開示全体を通じて説明される実施形態の教示に従う。様々な実施形態のうちの１つまたは複数は、無線コネクション３３７０が最後の区間を形成するＯＴＴコネクション３３５０を使用して、ＵＥ ３３３０に提供されるＯＴＴサービスの性能を改善する。より正確には、これらの実施形態の教示は、適用可能なＲＡＮ効果：データ速度、レイテンシー（遅延時間）、電力消費を改善することができ、それにより、ＯＴＴサービスに対する対応する効果：たとえば、ユーザ待ち時間の減少、ファイルサイズに対する制限の緩和、より良い応答性、バッテリ寿命の増加、のような利点を提供することができる。
【０１６５】
１つまたは複数の実施形態により改善されるであろう、データレート、遅延時間、および他の要因を監視する目的で、測定手順を提供することができる。さらに、計測結果のばらつきに応じて、ホストコンピュータ３３１０と端末３３３０との間でＯＴＴコネクション３３５０を再構成するための任意のネットワーク機能があってもよい。ＯＴＴコネクション３３５０を再構成するための測定手順および／またはネットワーク機能は、ホストコンピュータ３３１０のソフトウェア３３１１、またはＵＥ３３３０のソフトウェア３３３１、またはその両方に実装されてもよい。実施形態では、センサ（図示せず）は、ＯＴＴコネクション３３５０が通過する通信デバイスに、またはそれに関連して配備されてもよく、センサは、上記で例示された監視量の値を供給することによって、またはソフトウェア３３１１、３３３１が監視量を演算または推定することができる他の物理量の値を供給することによって、測定手順に関与してもよい。ＯＴＴコネクション３３５０のリコンフィギュレーション（再構成）は、メッセージフォーマット、再送信設定、好ましいルーティングなどを有することができ、再構成は、基地局３３２０に影響を及ぼす必要はなく、基地局３３２０には知られていないか、または知覚できないことがある。このような手順および機能性は、当技術分野で公知であり、実践されているものであってもよい。特定の実施形態では、測定は、スループット、伝搬時間、遅延時間などのホストコンピュータ３３１０の測定を容易にする独自のＵＥシグナリングを有することができる。測定は、ソフトウェア３３１１、３３３１が、伝搬時間、誤差等を監視している間に、ＯＴＴコネクション３３５０を使用して、メッセージ、特に空または「ダミー」メッセージを送信させることによって、実行されてもよい。
【０１６６】
図１２は、一実施形態による、通信システムにおいて実施される方法を示すフローチャートである。通信システムは、ホストコンピュータと、ネットワークノード１１０のような基地局と、ＵＥ１２０のようなＵＥとを含み、これらは、図１０および図１１を参照して説明されるものであってもよい。本開示の簡略化のために、図１２を参照する図面のみが、本セクションに含まれる。本方法の第１のアクション３４１０では、ホストコンピュータはユーザデータを提供する。第１のアクション３４１０のオプションのサブアクション３４１１において、ホストコンピュータはホストアプリケーションを実行することによってユーザデータを提供する。第２のアクション３４２０において、ホストコンピュータは、ユーザデータをＵＥに搬送する送信を開始する。オプションの第３のアクション３４３０において、基地局は、本開示全体にわたって説明される実施形態の教示にしたがって、ホストコンピュータが開始した送信において搬送されたユーザデータをＵＥに送信する。オプションの第４のアクション３４４０において、ＵＥは、ホストコンピュータによって実行されるホストアプリケーションに関連するクライアントアプリケーションを実行する。
【０１６７】
図１３は、一実施形態にしたがった通信システムにおいて実装される方法を示すフローチャートである。通信システムには、ホストコンピュータ、ＡＰ ＳＴＡのような基地局、および図１０および図１１を参考に記載することができる非ＡＰ ＳＴＡのようなＵＥが含まれるが、本開示の簡略化のため、図１３の参照のみを本項に含める。本方法の第１のアクション３５１０では、ホストコンピュータはユーザデータを提供する。任意のサブアクション（図示することなく、）では、ホストコンピュータは、ホストアプリケーションを実行することによってユーザデータを提供する。第２のアクション３５２０において、ホストコンピュータは、ユーザデータをＵＥに搬送する送信を開始する。送信された信号は、本開示全体にわたって説明される実施形態の教示にしたがって、基地局を介して渡されてもよい。オプションである第３のアクション３５３０において、ＵＥは、送信において搬送されてきユーザデータを受信する。
【０１６８】
図１４は、一実施形態による、通信システムにおいて実装される方法を示すフローチャートである。通信システムには、ホストコンピュータ、ＡＰ ＳＴＡのような基地局、および図１０および図１１を参考に記載することができる非ＡＰ ＳＴＡのようなＵＥが含まれるが、本開示の簡略化のため、図１４の参照のみを本項に含める。本方法のオプションの第１のアクション３６１０において、ＵＥは、ホストコンピュータによって提供される入力データを受信する。さらに、または代替的に、オプションの第２のアクション３６２０において、ＵＥはユーザデータを提供する。第２のアクション３６２０のオプションのサブアクション３６２１において、ＵＥは、クライアントアプリケーションを実行することによってユーザデータを提供する。第１のアクション３６１０のさらなるオプションのサブアクション３６１１において、ＵＥは、ホストコンピュータによって提供されて受信された入力データに応答してユーザデータを提供するクライアントアプリケーションを実行する。ユーザデータを提供する際に、実行されたクライアントアプリケーションは、ユーザから受け取ったユーザ入力をさらに考慮してもよい。ユーザデータを提供する特定の方法にかかわらず、ＵＥは、オプションの第３のサブアクション３６３０において、ユーザデータのホストコンピュータへの送信を開始する。本方法の第４のアクション３６４０において、ホストコンピュータは、本開示全体にわたって説明される実施形態の教示にしたがって、ＵＥから送信されたユーザデータを受信する。
【０１６９】
図１５は、一実施形態による、通信システムにおいて実施される方法を示すフローチャートである。通信システムには、ホストコンピュータ、ＡＰ ＳＴＡのような基地局、および図１０および図１１を参考に記載することができる非ＡＰ ＳＴＡのようなＵＥが含まれるが、本開示の簡略化のため、図１５の参照のみを本項に含める。本方法のオプションである第１のアクション３７１０では、本開示全体にわたって説明される実施形態の教示にしたがって、基地局は、ＵＥからユーザデータを受信する。オプションである第２のアクション３７２０では、基地局は、受信したユーザデータのホストコンピュータへの送信を開始する。第３のアクション３７３０において、ホストコンピュータは、基地局によって開始された送信において運ばれるユーザデータを受信する。
【図１】
2022501913.tif 000003
【図２ａ】
2022501913.tif 000004
【図２ｂ】
2022501913.tif 000005
【図３】
2022501913.tif 000006
【図４ａ】
2022501913.tif 000007
【図４ｂ】
2022501913.tif 000008
【図５ａ】
2022501913.tif 000009
【図５ｂ】
2022501913.tif 000010
【図６ａ】
2022501913.tif 000011
【図６ｂ】
2022501913.tif 000012
【図７ａ】
2022501913.tif 000013
【図７ｂ】
2022501913.tif 000014
【図８ａ】
2022501913.tif 000015
【図８ｂ】
2022501913.tif 000016
【図９ａ】
2022501913.tif 000017
【図９ｂ】
2022501913.tif 000018
【図１０】
2022501913.tif 000019
【図１１】
2022501913.tif 000020
【図１２】
2022501913.tif 000021
【図１３】
2022501913.tif 000022
【図１４】
2022501913.tif 000023
【図１５】
2022501913.tif 000024
【手続補正書】
【提出日】令和3年4月14日(2021.4.14)
【手続補正１】
【補正対象書類名】特許請求の範囲
【補正対象項目名】全文
【補正方法】変更
【補正の内容】
【特許請求の範囲】
【請求項１】
無線通信ネットワーク（１００）へのユーザ装置（ＵＥ）（１２０）のランダムアクセスのために、それぞれのダウンリンク（ＤＬ）、第１のアップリンク（ＵＬ１）、および、第２のアップリンク（ＵＬ２）のための帯域幅パート（ＢＷＰ）を取得するために、ユーザ装置（ＵＥ）（１２０）によって実行される方法であって、前記方法は、
物理ランダムアクセスチャネル（ＰＲＡＣＨ）機会を伴うすべてのＵＬ１ ＢＷＰについて、同じ帯域幅パート識別情報（ｂｗｐ ｉｄ）を有し、ＰＲＡＣＨ機会を伴う、対応するＵＬ２ ＢＷＰが存在することが仮定される場合、第１のｂｗｐ ｉｄを有し、ＰＲＡＣＨ機会を伴うＵＬ１ ＢＷＰと、同じ前記第１のｂｗｐ ｉｄを有するＤＬ ＢＷＰを取得すること（２０１）と、前記ＵＬ１ ＢＷＰと前記ＤＬ ＢＷＰが取得された後で、前記同じ第１のｂｗｐ ｉｄを有し、ＰＲＡＣＨ機会を伴うＵＬ２ ＢＷＰを取得（２０２）することと、
そうでない場合、
共通の第１のｂｗｐ ｉｄを有し、ＰＲＡＣＨ機会を伴う、ＵＬ１ ＢＷＰとＵＬ２ ＢＷＰとが存在する場合、これらのＵＬ１ ＢＷＰおよびＵＬ２ ＢＷＰを選択すること（２０３）と、同じ前記第１のｂｗｐ ｉｄを有するＤＬ ＢＷＰを選択すること（２０４）と、
共通の第１のｂｗｐ ｉｄを有し、ＰＲＡＣＨ機会を伴うＵＬ１ ＢＷＰとＵＬ２ ＢＷＰと存在しない場合、ＵＬ１、ＵＬ２およびＤＬのそれぞれに対して初期ＢＷＰを選択すること（２０５）と、
のうちのいずれか１つを実行すること、を有し、それによって、ＵＬ１ ＢＷＰ、ＵＬ２ ＢＷＰおよびＤＬ ＢＷＰは、前記同じ第１のｂｗｐ ｉｄを有する、方法。
【請求項２】
請求項１に記載の方法であって、
ＵＬ１はノーマルアップリンク（ＮＵＬ）と表されるものであり、ＵＬ２は補助アップリンク（ＳＵＬ）と表されるものであること、
ＵＬ２はＮＵＬと表されるものであり、ＵＬ１はＳＵＬと表されるものであること、
のうちのいずれか一つである、方法。
【請求項３】
請求項１または２に記載の方法であって、
いずれかの取得すること（２０１、２０２）は、そのまま留めることか、または、切り替えること、のうちのいずれか１つによって表されるものである、方法。
【請求項４】
請求項１または２に記載の方法であって、
ＰＲＡＣＨ機会を伴うＵＬ１ ＢＷＰを取得すること（２０１）は、アクティブなＢＷＰ上にそのまま留めること、または、初期ＢＷＰに切り替えること、のうちのいずれか１つを含む、方法。
【請求項５】
請求項２から４のいずれか一項に記載の方法であって、
（ａ）、（ｂ）、または（ａ）および（ｂ）のいずれでもないことのうちのいずれか１つが仮定されるかどうかを判定すること（２００）であって、
（ａ）はＰＲＡＣＨ機会を伴うすべてのＮＵＬ ＢＷＰについて、ＳＵＬ上に、物理ランダムアクセスチャネル（ＰＲＡＣＨ）機会を伴い、同じ帯域幅パート識別情報（ｂｗｐ ｉｄ）を有する、対応するＢＷＰが存在することが仮定されることであり、
（ｂ）はＰＲＡＣＨ機会を伴うすべてのＳＵＬ ＢＷＰについて、ＮＵＬ上に、ＰＲＡＣＨ機会を伴い、同じ帯域幅パート識別情報（ｂｗｐ ｉｄ）を有する、対応するＢＷＰが存在することが仮定されることである、ことと、
（ａ）が仮定される場合に、第１のルールにしたがってランダムアクセスのためのＮＵＬ、ＳＵＬ、およびＤＬのいずれかについてＢＷＰの切り替え方式を実行することと、
（ｂ）が仮定される場合に、第２のルールにしたがってランダムアクセスのためのＮＵＬ、ＳＵＬ、およびＤＬのいずれかについてＢＷＰの切り替えを実行することと、
（ａ）および（ｂ）のいずれも仮定されない場合、第３のルールにしたがってランダムアクセスのためのＮＵＬ、ＳＵＬ、およびＤＬのいずれかについてＢＷＰの切り替えを実行することと、を有する方法。
【請求項６】
請求項５に記載の方法であって、前記第１のルールは、
アクティブなＮＵＬ ＢＷＰにおいて、ＰＲＡＣＨが存在しない場合に、取得すること（２０１）は、アクティブなＮＵＬおよびダウンリンク（ＤＬ）をそれぞれの初期ＢＷＰに切り替えることを含み、前記ＮＵＬ ＢＷＰおよびＤＬ ＢＷＰが切り替えられた後で、取得すること（２０２）は、ＳＵＬを初期ＢＷＰに切り替えることを含み、ここで、前記ＳＵＬ、前記ＮＵＬ、および前記ＤＬはすべて同じｂｗｐ ｉｄを有し、
アクティブなＮＵＬ ＢＷＰにおいてＰＲＡＣＨが存在する場合、取得すること（２０１）は、前記ＤＬを前記アクティブなＮＵＬ ＢＷＰと同じｂｗｐ ｉｄを有するＢＷＰに切り替えることを含み、前記ＤＬ ＢＷＰが切り替えられた後で、取得すること（２０２）は、前記ＳＵＬを前記アクティブなＮＵＬ ＢＷＰと同じｂｗｐ ｉｄを有するＢＷＰに切り替えることを含み、ここで、前記ＳＵＬ、前記ＮＵＬ、および前記ＤＬはすべて同じｂｗｐ ｉｄを有する、方法。
【請求項７】
請求項５に記載の方法であって、前記第２のルールは、
アクティブＳＵＬ ＢＷＰにＰＲＡＣＨが存在しない場合、取得すること（２０１）は、前記アクティブＳＵＬおよびＤＬをそれぞれの初期ＢＷＰに切り替えることを含み、前記ＳＵＬ ＢＷＰおよび前記ＤＬ ＢＷＰが切り替えられた後で、取得すること（２０２）は、前記ＮＵＬを初期ＢＷＰに切り替えることを含み、ここで、前記ＳＵＬ、前記ＮＵＬおよび前記ＤＬはすべて同じｂｗｐ ｉｄを有し、
前記アクティブＳＵＬ ＢＷＰにＰＲＡＣＨが存在する場合、取得すること（２０１）は、前記ＤＬを前記アクティブＳＵＬ ＢＷＰと同じｂｗｐ ｉｄを有するＢＷＰに切り替えることを含み、前記ＤＬ ＢＷＰが切り替えられた後で、取得すること（２０２）は、前記ＮＵＬを前記アクティブＳＵＬ ＢＷＰと同じｂｗｐ ｉｄを有するＢＷＰに切り替えること（２０９ｂ）を含み、ここで、前記ＳＵＬ、前記ＮＵＬおよび前記ＤＬはすべて同じｂｗｐ ｉｄを有する、方法。
【請求項８】
ユーザ装置（ＵＥ）（１２０）を構成するためのネットワークノード（１１０）によって実行され、無線通信ネットワーク（１００）へのユーザ装置（ＵＥ）（１２０）のランダムアクセスのためのダウンリンク（ＤＬ）、第１のアップリンク（ＵＬ１）、および第２のアップリンク（ＵＬ２）のそれぞれについて帯域幅パート（ＢＷＰ）を取得するための方法であって、前記方法は、前記ＵＥ（１２０）を構成すること（３０１）であって、
物理ランダムアクセスチャネル（ＰＲＡＣＨ）機会を伴うすべてのＵＬ１ ＢＷＰについて、同じ帯域幅パート識別情報（ｂｗｐ ｉｄ）を有し、ＰＲＡＣＨ機会を伴う、対応するＵＬ２ ＢＷＰが存在することが仮定される場合に、第１のｂｗｐ ｉｄを有し、ＰＲＡＣＨ機会を伴う、ＵＬ１ ＢＷＰと、同じ前記第１のｂｗｐ ｉｄを有するＤＬ ＢＷＰを取得すること（２０１）と、前記ＵＬ１ ＢＷＰおよびＤＬ ＢＷＰが取得された後で、前記同じ第１のｂｗｐ ｉｄを有し、ＰＲＡＣＨ機会を伴う、ＵＬ２ ＢＷＰを取得すること（２０２）と、
そうでない場合に、
共通の第１のｂｗｐ ｉｄを有し、ＰＲＡＣＨ機会を伴う、ＵＬ１ ＢＷＰとＵＬ２ ＢＷＰとが存在する場合に、これらＵＬ１ ＢＷＰおよびＵＬ２ ＢＷＰを選択すること（２０３）と、前記同じ第１のｂｗｐ ｉｄを含むＤＬ ＢＷＰを選択すること（２０４）と、
前記共通の第１のｂｗｐ ｉｄを有するとともに、ＰＲＡＣＨ機会を伴う、ＵＬ１ ＢＷＰとＵＬ２ ＢＷＰとが存在しない場合に、前記ＵＬ１、前記ＵＬ２および前記ＤＬのそれぞれについて初期ＢＷＰを選択すること（２０５）と、のうちのいずれか１つを実行するように構成することを有し、それによって、ＵＬ１ ＢＷＰ、ＵＬ２ ＢＷＰおよびＤＬ ＢＷＰは、前記同じ第１のｂｗｐ ｉｄを有する、方法。
【請求項９】
請求項８に記載の方法であって、
ＵＬ１がノーマルアップリンク（ＮＵＬ）と表され、ＵＬ２が補助アップリンク（ＳＵＬ）と表されること、
ＵＬ２が（ＮＵＬ）と表され、ＵＬ１がＳＵＬと表されること、
のうちのいずれか１つである、方法。
【請求項１０】
請求項８または９に記載の方法であって、
いずれかの取得すること（２０１、２０２）は、そのままに留めることか、または、切り替えること、のうちのいずれかによって表される、方法。
【請求項１１】
請求項８から１０のいずれか一項に記載の方法であって、
ＰＲＡＣＨ機会を伴う前記ＵＬ１ ＢＷＰを取得すること（２０１）は、アクティブなＢＷＰにそのまま留めること、または、初期ＢＷＰに切り替えること、のうちのいずれか１つを含む、方法。
【請求項１２】
請求項８から１１のいずれか一項に記載の方法であって、
（ａ）、（ｂ）、または、（ａ）および（ｂ）のいずれでもないこと、のうちのいずれか１つが仮定および／または構成されるべきかどうかを判定すること（３００）であって、
（ａ）はＰＲＡＣＨ機会を伴うすべてのＮＵＬ ＢＷＰについて、ＳＵＬ上に、物理ランダムアクセスチャネル（ＰＲＡＣＨ）機会を伴い、同じ帯域幅パート識別情報（ｂｗｐ ｉｄ）を有する、対応するＢＷＰが存在することが仮定されることであり、
（ｂ）はＰＲＡＣＨ機会を伴うすべてのＳＵＬ ＢＷＰについて、ＮＵＬ上に、ＰＲＡＣＨ機会を伴ない、同じ帯域幅パート識別情報（ｂｗｐ ｉｄ）を有する対応するＢＷＰが存在すると仮定することである、ことと、
（ａ）が仮定される場合に、第１のルールにしたがってランダムアクセスのための前記ＮＵＬ、前記ＳＵＬ、および前記ＤＬのいずれかについてＢＷＰの切り替え方式を実行することと、
（ｂ）が仮定される場合に、第２のルールにしたがってランダムアクセスのための前記ＮＵＬ、前記ＳＵＬ、および前記ＤＬのいずれかについてＢＷＰの切り替えを実行することと、
（ａ）および（ｂ）のいずれも仮定されない場合に、第３のルールにしたがってランダムアクセスのための前記ＮＵＬ、前記ＳＵＬ、および前記ＤＬのいずれかについてＢＷＰの切り替えを実行することと、を有する、方法。
【請求項１３】
請求項１２に記載の方法であって、前記第１のルールは、
アクティブなＮＵＬ ＢＷＰにＰＲＡＣＨが存在しない場合、取得すること（２０１）は、前記アクティブなＮＵＬおよびダウンリンク（ＤＬ）をそれぞれの初期ＢＷＰに切り替えることを含み、前記ＮＵＬ ＢＷＰおよびＤＬ ＢＷＰが切り替えられた後で、取得すること（２０２）は、ＳＵＬを初期ＢＷＰに切り替えることを含み、ここで、前記ＳＵＬ、前記ＮＵＬおよび前記ＤＬはすべて同じｂｗｐ ｉｄを有し、
アクティブなＮＵＬ ＢＷＰにＰＲＡＣＨが存在する場合、取得すること（２０１）は、前記ＤＬを前記アクティブなＮＵＬ ＢＷＰと同じｂｗｐ ｉｄを有するＢＷＰに切り替えることを含み、前記ＤＬ ＢＷＰが切り替えられた後で、取得すること（２０１）は、前記ＳＵＬを前記アクティブなＮＵＬ ＢＷＰと同じｂｗｐ ｉｄを有するＢＷＰに切り替えることを含み、前記ＳＵＬ、前記ＮＵＬおよび前記ＤＬはすべて同じｂｗｐ ｉｄを有する、方法。
【請求項１４】
請求項１２に記載の方法であって、前記第２のルールは、
アクティブＳＵＬ ＢＷＰにＰＲＡＣＨが存在しない場合、取得すること（２０１）は、前記アクティブＳＵＬとＤＬをそれぞれの初期ＢＷＰに切り替えることを含み、前記ＳＵＬ ＢＷＰと前記ＤＬ ＢＷＰとが切り替えられた後で、取得すること（２０２）は、前記ＮＵＬを初期ＢＷＰに切り替えることを含み、ここで、前記ＳＵＬ、前記ＮＵＬおよび前記ＤＬはすべて同じｂｗｐ ｉｄを有し、
アクティブＳＵＬ ＢＷＰにＰＲＡＣＨが存在する場合、取得すること（２０１）は、前記ＤＬを前記アクティブＳＵＬ ＢＷＰと同じｂｗｐ ｉｄを有するＢＷＰに切り替えることを含み、前記ＤＬ ＢＷＰが切り替えられた後で、取得すること（２０２）は、前記ＮＵＬを前記アクティブＳＵＬ ＢＷＰと同じｂｗｐ ｉｄを有するＢＷＰに切り替えること（２０９ｂ）を含み、ここで、前記ＳＵＬ、前記ＮＵＬおよび前記ＤＬはすべて同じｂｗｐ ｉｄを有する、方法。
【請求項１５】
ユーザ装置（ＵＥ）（１２０）の無線通信ネットワーク（１００）へのランダムアクセスのために、ダウンリンク（ＤＬ）、第１のアップリンク（ＵＬ１）、および第２のアップリンク（ＵＬ２）のそれぞれのための帯域幅パート（ＢＷＰ）を取得するように構成されたユーザ装置（ＵＥ）（１２０）であって、前記ＵＥ（１２０）は、
物理ランダムアクセスチャネル（ＰＲＡＣＨ）機会を有するすべてのＵＬ１ ＢＷＰについて、同じ帯域幅パート識別情報（ｂｗｐ ｉｄ）を有し、ＰＲＡＣＨ機会を伴う、対応するＵＬ２ ＢＷＰが存在すると仮定される場合に、第１のｂｗｐ ｉｄを有するように適合され、ＰＲＡＣＨ機会を伴う、ＵＬ１ ＢＷＰと、同じ前記第１のｂｗｐ ｉｄを有するＤＬ ＢＷＰとを取得することと、前記ＵＬ１ ＢＷＰとＤＬ ＢＷＰを取得した後で、前記同じ第１のｂｗｐ ｉｄを有するように適合され、ＰＲＡＣＨ機会を伴う、ＵＬ２ ＢＷＰを取得することと、
そうでない場合に、
共通の第１のｂｗｐ ｉｄを有し、ＰＲＡＣＨ機会を伴う、ＵＬ１ ＢＷＰとＵＬ２ ＢＷＰとが存在する場合、これらＵＬ１ ＢＷＰおよびＵＬ２ ＢＷＰを選択することと、同じ前記第１のｂｗｐ ｉｄを有するＤＬ ＢＷＰを選択することと、
共通の第１のｂｗｐ ｉｄを有するとともに、ＰＲＡＣＨの機会を伴うＵＬ１ ＢＷＰおよびＵＬ２ ＢＷＰが存在しない場合に、前記ＵＬ１、前記ＵＬ２および前記ＤＬのそれぞれについて初期ＢＷＰを選択することと、のうちのいずれか１つを含むように構成されており、それによって、ＵＬ１ ＢＷＰ、ＵＬ２ ＢＷＰおよびＤＬ ＢＷＰは、同じ第１のｂｗｐ ｉｄを含むように適合される、ＵＥ。
【請求項１６】
請求項１５に記載のＵＥであって、
−  ＵＬ１はノーマルアップリンク（ＮＵＬ）を表すように適合され、ＵＬ２は補助アップリンク（ＳＵＬ）によって表されるように適合されること、
−  ＵＬ２はＮＵＬを表すように適合され、ＵＬ１はＳＵＬを表すように適合されること、のうちのいずれか１つである、ＵＥ。
【請求項１７】
請求項１５または１６に記載のＵＥであって、いずれかの取得が、そのままに留めることと、または、切り替えることと、のうちのいずれか１つによって表されるように適合される、ＵＥ。
【請求項１８】
請求項１５または１６に記載のＵＥであって、前記ＵＥ（１２０）は、さらに、
ＰＲＡＣＨ機会を伴う前記ＵＬ１ ＢＷＰを取得することは、アクティブなＢＷＰ上にそのまま留めるか、または、初期ＢＷＰに切り替えること、のうちのいずれか１つを含むように適合される、ＵＥ。
【請求項１９】
る無線通信ネットワーク（１００）へのユーザ装置（ＵＥ）（１２０）のランダムアクセスのために、ダウンリンク（ＤＬ）、第１のアップリンク（ＵＬ１）、および第２のアップリンク（ＵＬ２）のそれぞれについて帯域幅パート（ＢＷＰ）を取得するために、ユーザ装置（ＵＥ）（１２０）を構成するための、ネットワークノード（１１０）であって、前記ネットワークノード（１１０）は、当該ネットワークノード（１１０）の中の構成ユニット（９１０）によって、前記ＵＥ（１２０）を、
物理ランダムアクセスチャネル（ＰＲＡＣＨ）機会を伴うすべてのＵＬ１ ＢＷＰについて、ＰＲＡＣＨ機会を伴い、同じ帯域幅パート識別情報（ｂｗｐ ｉｄ）を有する、対応するＵＬ２ ＢＷＰが存在する場合に、ＰＲＡＣＨ機会を伴い、第１のｂｗｐ ｉｄを有するように適合されたＵＬ１ ＢＷＰと、同じ前記第１のｂｗｐ ｉｄを有するＤＬ ＢＷＰとを取得することと、前記ＵＬ１ ＢＷＰおよびＤＬ ＢＷＰが取得された後で、ＰＲＡＣＨ機会を伴い、前記同じ第１のｂｗｐ ｉｄを有するＵＬ２ ＢＷＰを取得することと、
そうでない場合であって、
ＰＲＡＣＨ機会を伴い、共通の第１のｂｗｐ ｉｄを有する、ＵＬ１ ＢＷＰおよびＵＬ２ ＢＷＰが存在する場合に、これらＵＬ１ ＢＷＰおよびＵＬ２ ＢＷＰを選択することと、同じ前記第１のｂｗｐ ｉｄを含むように適合されたＤＬ ＢＷＰを選択することと、
ＰＲＡＣＨの機会を伴い、共通の第１のｂｗｐ ｉｄを有するＵＬ１ ＢＷＰおよびＵＬ２ ＢＷＰが存在しない場合に、前記ＵＬ１、ＵＬ２およびＤＬのそれぞれについて初期ＢＷＰを選択することと、のうちのいずれか１つを実行することと、のうちのいずれか１つ以上について、構成し、それによって、ＵＬ１ ＢＷＰ、ＵＬ２ ＢＷＰおよびＤＬ ＢＷＰは、前記同じ第１のｂｗｐ ｉｄを含むように適合される、ネットワークノード。
【請求項２０】
請求項１９に記載のネットワークノード（１１０）であって、
ＵＬ１がノーマルアップリンク（ＮＵＬ）を表すように適合され、ＵＬ２が補助アップリンク（ＳＵＬ）を表すように適合されていることと、
ＵＬ２がＮＵＬを表すように適合され、ＵＬ１がＳＵＬを表すように適合されていることと、のうちのいずれか１つである、ネットワークノード。
【請求項２１】
請求項１９または２０に記載のネットワークノード（１１０）であって、
いずれかの前記取得することは、そのままに留めること、または、切り替えること、のうちのいずれか１つを表すように適合される、ネットワークノード。
【請求項２２】
請求項１９から２１のいずれか一項に記載のネットワークノード（１１０）であって、ＰＲＡＣＨ機会を伴うＵＬ１ ＢＷＰを取得することは、アクティブなＢＷＰ上に留めることと、または、初期ＢＷＰに切り替えること、のうちのいずれか１つを含むように適合される、ネットワークノード。
【国際調査報告】
2022501913.tif 000025
2022501913.tif 000026
2022501913.tif 000027